(57)【要約】【課題】スクロール流体機械の効率向上を図る。【解決手段】スクロール流体機械であるスクロール圧縮機（10）において、前加工工程では、旋回スクロール加工工程とハウジング加工工程とが行われる。計測工程では、前加工工程で加工された旋回スクロール（50）及びハウジング（60）の寸法偏差が計測される。目標設定工程では、固定スクロール（40）の寸法偏差の目標値が、旋回スクロール（50）及びハウジング（60）の寸法偏差を相殺するように設定される。後加工工程である固定スクロール加工工程では、固定スクロール（40）の寸法偏差が目標値となるように、固定スクロール（40）の加工が行われる。【選択図】図９
2019178661.tif 000002
【特許請求の範囲】
【請求項１】
旋回側ラップ（52）とボス部（53）とが形成された旋回スクロール（50）と、上記旋回スクロール（50）の上記ボス部（53）に連結する回転軸（25）を支持する軸受部（64）が形成されたハウジング（60）と、上記旋回側ラップ（52）と噛み合う固定側ラップ（42）が形成されて上記ハウジング（60）に固定される固定スクロール（40）とを備えたスクロール流体機械であって、
上記固定スクロール（40）と上記ハウジング（60）のそれぞれには、上記ハウジング（60）に対する上記固定スクロール（40）の固定位置を定めるための位置決め構造（44,67）が複数ずつ形成される一方、
上記旋回側ラップ（52）の中心軸に対する上記ボス部（53）の中心軸の偏差を上記旋回スクロール（50）の寸法偏差とし、
上記ハウジング（60）の各上記位置決め構造（67）から最短の等距離に位置する直線をハウジング側中心軸とし、上記軸受部（64）の中心軸に対する上記ハウジング側中心軸の偏差を上記ハウジング（60）の寸法偏差とし、
上記固定スクロール（40）の各上記位置決め構造（44）から最短の等距離に位置する直線を固定側中心軸とし、上記固定側中心軸に対する上記固定側ラップ（42）の中心軸の偏差を上記固定スクロール（40）の寸法偏差とし、
上記旋回スクロール（50）の寸法偏差と上記ハウジング（60）の寸法偏差と上記固定スクロール（40）の寸法偏差の合計を合計偏差とし
上記旋回スクロール（50）と上記固定スクロール（40）と上記ハウジング（60）のうちの一つを第１部品として残り二つのうちの少なくとも一つを第２部品としたときに、
上記第１部品の寸法偏差の分散が上記第２部品の寸法偏差の分散を包括し、且つ上記合計偏差の分散が上記第１部品の寸法偏差の分散よりも小さい
ことを特徴とするスクロール流体機械。
【請求項２】
請求項１において、
上記固定スクロール（40）と上記ハウジング（60）の一方が上記第１部品であり、
上記旋回スクロール（50）が上記第２部品である
ことを特徴とするスクロール流体機械。
【請求項３】
請求項１において、
上記固定スクロール（40）が上記第１部品であり、
上記旋回スクロール（50）及び上記ハウジング（60）が上記第２部品である
ことを特徴とするスクロール流体機械。
【請求項４】
請求項１において、
上記ハウジング（60）が上記第１部品であり、
上記旋回スクロール（50）及び上記固定スクロール（40）が上記第２部品である
ことを特徴とするスクロール流体機械。
【請求項５】
旋回側ラップ（52）とボス部（53）とが形成された旋回スクロール（50）と、上記旋回スクロール（50）の上記ボス部（53）に連結する回転軸（25）を支持する軸受部（64）が形成されたハウジング（60）と、上記旋回側ラップ（52）と噛み合う固定側ラップ（42）が形成されて上記ハウジング（60）に固定される固定スクロール（40）とを備えたスクロール流体機械であって、
上記固定スクロール（40）と上記ハウジング（60）のそれぞれには、上記ハウジング（60）に対する上記固定スクロール（40）の固定位置を定めるための位置決め構造（44,67）が複数ずつ形成される一方、
上記旋回側ラップ（52）の中心軸に対する上記ボス部（53）の中心軸の偏差を上記旋回スクロール（50）の寸法偏差とし、
上記ハウジング（60）の各上記位置決め構造（67）から最短の等距離に位置する直線をハウジング側中心軸とし、上記軸受部（64）の中心軸に対する上記ハウジング側中心軸の偏差を上記ハウジング（60）の寸法偏差とし、
上記固定スクロール（40）の各上記位置決め構造（44）から最短の等距離に位置する直線を固定側中心軸とし、上記固定側中心軸に対する上記固定側ラップ（42）の中心軸の偏差を上記固定スクロール（40）の寸法偏差とし、
上記旋回スクロール（50）の寸法偏差と上記ハウジング（60）の寸法偏差と上記固定スクロール（40）の寸法偏差の合計を合計偏差としたときに、
上記合計偏差の分散が上記固定スクロール（40）の寸法偏差の分散よりも小さくなるように、上記固定スクロール（40）の寸法偏差の分散が、上記固定スクロール（40）に形成された複数の上記位置決め構造（44）同士の間隔の分散よりも大きくなっている
ことを特徴とするスクロール流体機械。
【請求項６】
旋回側ラップ（52）とボス部（53）とが形成された旋回スクロール（50）と、上記旋回スクロール（50）の上記ボス部（53）に連結する回転軸（25）を支持する軸受部（64）が形成されたハウジング（60）と、上記旋回側ラップ（52）と噛み合う固定側ラップ（42）が形成されて上記ハウジング（60）に固定される固定スクロール（40）とを備えたスクロール流体機械であって、
上記固定スクロール（40）と上記ハウジング（60）のそれぞれには、上記ハウジング（60）に対する上記固定スクロール（40）の固定位置を定めるための位置決め構造（44,67）が複数ずつ形成される一方、
上記旋回側ラップ（52）の中心軸に対する上記ボス部（53）の中心軸の偏差を上記旋回スクロール（50）の寸法偏差とし、
上記ハウジング（60）の各上記位置決め構造（67）から最短の等距離に位置する直線をハウジング側中心軸とし、上記軸受部（64）の中心軸に対する上記ハウジング側中心軸の偏差を上記ハウジング（60）の寸法偏差とし、
上記固定スクロール（40）の各上記位置決め構造（44）から最短の等距離に位置する直線を固定側中心軸とし、上記固定側中心軸に対する上記固定側ラップ（42）の中心軸の偏差を上記固定スクロール（40）の寸法偏差とし、
上記旋回スクロール（50）の寸法偏差と上記ハウジング（60）の寸法偏差と上記固定スクロール（40）の寸法偏差の合計を合計偏差としたときに、
上記合計偏差の分散が上記ハウジング（60）の寸法偏差の分散よりも小さくなるように、上記ハウジング（60）の寸法偏差の分散が、上記ハウジング（60）に形成された複数の上記位置決め構造（67）同士の間隔の分散よりも大きくなっている
ことを特徴とするスクロール流体機械。
【請求項７】
旋回側ラップ（52）とボス部（53）とが形成された旋回スクロール（50）と、上記旋回スクロール（50）の上記ボス部（53）に連結する回転軸（25）を支持する軸受部（64）が形成されたハウジング（60）と、上記旋回側ラップ（52）と噛み合う固定側ラップ（42）が形成されて上記ハウジング（60）に固定される固定スクロール（40）とを備え、上記固定スクロール（40）と上記ハウジング（60）のそれぞれに、上記ハウジング（60）に対する上記固定スクロール（40）の固定位置を定めるための位置決め構造（44,67）が複数ずつ形成されたスクロール流体機械の製造方法であって、
被加工部品である上記旋回スクロール（50）の上記旋回側ラップ（52）及び上記ボス部（53）を加工する旋回スクロール加工工程と、
被加工部品である上記固定スクロール（40）の上記固定側ラップ（42）及び上記位置決め構造（44）を加工する固定スクロール加工工程と、
被加工部品である上記ハウジング（60）の上記軸受部（64）及び上記位置決め構造（67）を加工するハウジング加工工程とを備える一方、
上記旋回側ラップ（52）の中心軸に対する上記ボス部（53）の中心軸の偏差を上記旋回スクロール（50）の寸法偏差とし、
上記ハウジング（60）の各上記位置決め構造（67）から最短の等距離に位置する直線をハウジング側中心軸とし、上記軸受部（64）の中心軸に対する上記ハウジング側中心軸の偏差を上記ハウジング（60）の寸法偏差とし、
上記固定スクロール（40）の各上記位置決め構造（44）から最短の等距離に位置する直線を固定側中心軸とし、上記固定側中心軸に対する上記固定側ラップ（42）の中心軸の偏差を上記固定スクロール（40）の寸法偏差とし、
上記旋回スクロール加工工程と上記固定スクロール加工工程と上記ハウジング加工工程のうちの一つを後加工工程として、残り二つのうちの少なくとも一つを上記後加工工程よりも前に行われる前加工工程としたときに、
上記前加工工程の終了後に、上記前加工工程において加工された被加工部品の寸法偏差を計測する計測工程と、
上記計測工程において計測された上記被加工部品の寸法偏差が、上記後加工工程において加工される被加工部品の寸法偏差によって相殺されるように、上記後加工工程において加工される被加工部品の寸法偏差の目標値を設定する目標設定工程とを更に備え、
上記後加工工程では、被加工部品の寸法偏差が上記目標設定工程において設定された目標値となるように、被加工部品の加工を行う
ことを特徴とするスクロール流体機械の製造方法。
【請求項８】
請求項７において、
上記旋回スクロール加工工程が上記前加工工程であり、
上記固定スクロール加工工程が上記後加工工程であり、
上記計測工程では、上記旋回スクロール加工工程において加工された上記旋回スクロール（50）の寸法偏差を計測し、
上記目標設定工程では、上記計測工程において計測された上記旋回スクロール（50）の寸法偏差が、上記固定スクロール（40）の寸法偏差によって相殺されるように、上記固定スクロール（40）の寸法偏差の目標値を設定し、
上記固定スクロール加工工程では、上記固定スクロール（40）の寸法偏差が上記目標設定工程において設定された目標値となるように、上記固定スクロール（40）の上記固定側ラップ（42）及び位置決め構造（44）を加工する
ことを特徴とするスクロール流体機械の製造方法。
【請求項９】
請求項７において、
上記旋回スクロール加工工程が上記前加工工程であり、
上記ハウジング加工工程が上記後加工工程であり、
上記計測工程では、上記旋回スクロール加工工程において加工された上記旋回スクロール（50）の寸法偏差を計測し、
上記目標設定工程では、上記計測工程において計測された上記旋回スクロール（50）の寸法偏差が、上記ハウジング（60）の寸法偏差によって相殺されるように、上記ハウジング（60）の寸法偏差の目標値を設定し、
上記ハウジング加工工程では、上記ハウジング（60）の寸法偏差が上記目標設定工程において設定された目標値となるように、上記ハウジング（60）の上記軸受部（64）及び上記位置決め構造（67）を加工する
ことを特徴とするスクロール流体機械の製造方法。
【請求項１０】
請求項７において、
上記旋回スクロール加工工程と上記ハウジング加工工程とが上記前加工工程であり、
上記固定スクロール加工工程が上記後加工工程であり、
上記計測工程では、上記旋回スクロール加工工程において加工された上記旋回スクロール（50）の寸法偏差と、上記ハウジング加工工程において加工された上記ハウジング（60）の寸法偏差とを計測し、
上記目標設定工程では、上記計測工程において計測された上記旋回スクロール（50）の寸法偏差と上記ハウジング（60）の寸法偏差とが、上記固定スクロール（40）の寸法偏差によって相殺されるように、上記固定スクロール（40）の寸法偏差の目標値を設定し、
上記固定スクロール加工工程では、上記固定スクロール（40）の寸法偏差が上記目標設定工程において設定された目標値となるように、上記固定スクロール（40）の上記固定側ラップ（42）及び位置決め構造（44）を加工する
ことを特徴とするスクロール流体機械の製造方法。
【請求項１１】
請求項７において、
上記旋回スクロール加工工程と上記固定スクロール加工工程とが上記前加工工程であり、
上記ハウジング加工工程が上記後加工工程であり、
上記計測工程では、上記旋回スクロール加工工程において加工された上記旋回スクロール（50）の寸法偏差と、上記固定スクロール加工工程において加工された上記固定スクロール（40）の寸法偏差とを計測し、
上記目標設定工程では、上記計測工程において計測された上記旋回スクロール（50）の寸法偏差と上記固定スクロール（40）の寸法偏差とが、上記ハウジング（60）の寸法偏差によって相殺されるように、上記ハウジング（60）の寸法偏差の目標値を設定し、
上記ハウジング加工工程では、上記ハウジング（60）の寸法偏差が上記目標設定工程において設定された目標値となるように、上記ハウジング（60）の上記軸受部（64）及び上記位置決め構造（67）を加工する
ことを特徴とするスクロール流体機械の製造方法。
【発明の詳細な説明】
【技術分野】
【０００１】
本開示は、スクロール流体機械と、その製造方法に関するものである。
【背景技術】
【０００２】
特許文献1には、スクロール流体機械（スクロール圧縮機）が開示されている。このスクロール流体機械は、固定スクロールと、旋回スクロールと、ハウジングとを備える。このスクロール圧縮機では、固定スクロールに形成された固定側ラップと、旋回スクロールに形成された旋回側ラップとが噛み合わされて、流体室（圧縮室）が形成される。また、固定スクロールは、ハウジングに固定される。
【先行技術文献】
【特許文献】
【０００３】
【特許文献１】特開２０１６−０７９８７３号公報
【発明の概要】
【発明が解決しようとする課題】
【０００４】
スクロール流体機械では、固定スクロールと、旋回スクロールと、ハウジングとが組み合わされる。固定スクロールと、旋回スクロールと、ハウジングとは、それぞれに寸法誤差（即ち、実際の寸法と設計値の差）がある。このため、固定スクロールの固定側ラップと旋回スクロールの旋回側ラップとの間に隙間ができ、この隙間を通って流体室から流体が漏れる。
【０００５】
従来より、流体室から漏れる流体の量を削減してスクロール流体機械の効率を向上させるために、固定スクロールと旋回スクロールとハウジングのそれぞれの加工精度を高める取り組みが行われてきた。しかし、それらの加工精度の向上には、スクロール流体機械を量産する場合には、加工に要する時間や工作機械の性能の問題から限界があり、スクロール流体機械の効率をある程度にまでしか高めることができなかった。
【０００６】
本開示の目的は、スクロール流体機械の効率向上を図ることにある。
【課題を解決するための手段】
【０００７】
本開示の第１の態様は、旋回側ラップ（52）とボス部（53）とが形成された旋回スクロール（50）と、上記旋回スクロール（50）の上記ボス部（53）に連結する回転軸（25）を支持する軸受部（64）が形成されたハウジング（60）と、上記旋回側ラップ（52）と噛み合う固定側ラップ（42）が形成されて上記ハウジング（60）に固定される固定スクロール（40）とを備えたスクロール流体機械であって、上記固定スクロール（40）と上記ハウジング（60）のそれぞれには、上記ハウジング（60）に対する上記固定スクロール（40）の固定位置を定めるための位置決め構造（44,67）が複数ずつ形成される一方、上記旋回側ラップ（52）の中心軸に対する上記ボス部（53）の中心軸の偏差を上記旋回スクロール（50）の寸法偏差とし、上記ハウジング（60）の各上記位置決め構造（67）から最短の等距離に位置する直線をハウジング側中心軸とし、上記軸受部（64）の中心軸に対する上記ハウジング側中心軸の偏差を上記ハウジング（60）の寸法偏差とし、上記固定スクロール（40）の各上記位置決め構造（44）から最短の等距離に位置する直線を固定側中心軸とし、上記固定側中心軸に対する上記固定側ラップ（42）の中心軸の偏差を上記固定スクロール（40）の寸法偏差とし、上記旋回スクロール（50）の寸法偏差と上記ハウジング（60）の寸法偏差と上記固定スクロール（40）の寸法偏差の合計を合計偏差とし上記旋回スクロール（50）と上記固定スクロール（40）と上記ハウジング（60）のうちの一つを第１部品として残り二つのうちの少なくとも一つを第２部品としたときに、上記第１部品の寸法偏差の分散が上記第２部品の寸法偏差の分散を包括し、且つ上記合計偏差の分散が上記第１部品の寸法偏差の分散よりも小さいことを特徴とする。
【０００８】
第１の態様では、第１部品の寸法偏差の分散が第２部品の寸法偏差の分散を包括する。このため、第２部品の寸法偏差の一部または全部を、第１部品の寸法偏差によって相殺することが可能となる。そして、第２部品の寸法偏差の一部または全部を第１部品の寸法偏差で相殺すれば、合計偏差の分散が第１部品の寸法偏差の分散よりも小さくなる。
【０００９】
従来は、合計偏差の分散を第１部品の寸法偏差の分散よりも小さくすることができなかったが、第１の態様によれば、合計偏差の分散を第１部品の寸法偏差の分散よりも小さくすることが可能となる。従って、この態様によれば、旋回スクロール（50）とハウジング（60）と固定スクロール（40）の加工精度を従来よりも高めること無く、合計偏差の分散を引き下げることが可能となり、スクロール流体機械（10）の効率を向上させることが可能となる。
【００１０】
本開示の第２の態様は、上記第１の態様において、上記固定スクロール（40）と上記ハウジング（60）の一方が上記第１部品であり、上記旋回スクロール（50）が上記第２部品であることを特徴とする。
【００１１】
第２の態様において、固定スクロール（40）が第１部品であり、旋回スクロール（50）が第２部品である場合は、“固定スクロール（40）の寸法偏差の分散”が“旋回スクロール（50）の寸法偏差の分散”を包括し、且つ“合計偏差の分散”が“固定スクロール（40）の寸法偏差の分散”よりも小さくなる。また、この態様において、ハウジング（60）が第１部品であり、旋回スクロール（50）が第２部品である場合は、“ハウジング（60）の寸法偏差の分散”が“旋回スクロール（50）の寸法偏差の分散”を包括し、且つ“合計偏差の分散”が“ハウジング（60）の寸法偏差の分散”よりも小さくなる。
【００１２】
本開示の第３の態様は、上記第１の態様において、上記固定スクロール（40）が上記第１部品であり、上記旋回スクロール（50）及び上記ハウジング（60）が上記第２部品であることを特徴とする。
【００１３】
第３の態様では、“固定スクロール（40）の寸法偏差の分散”が“旋回スクロール（50）の寸法偏差の分散”と“ハウジング（60）の寸法偏差の分散”とを包括し、且つ“合計偏差の分散”が“固定スクロール（40）の寸法偏差の分散”よりも小さくなる。
【００１４】
本開示の第４の態様は、上記第１の態様において、上記ハウジング（60）が上記第１部品であり、上記旋回スクロール（50）及び上記固定スクロール（40）が上記第２部品であることを特徴とする。
【００１５】
第４の態様では、“ハウジング（60）の寸法偏差の分散”が“旋回スクロール（50）の寸法偏差の分散”と“固定スクロール（40）の寸法偏差の分散”とを包括し、且つ“合計偏差の分散”が“ハウジング（60）の寸法偏差の分散”よりも小さくなる。
【００１６】
本開示の第５の態様は、旋回側ラップ（52）とボス部（53）とが形成された旋回スクロール（50）と、上記旋回スクロール（50）の上記ボス部（53）に連結する回転軸（25）を支持する軸受部（64）が形成されたハウジング（60）と、上記旋回側ラップ（52）と噛み合う固定側ラップ（42）が形成されて上記ハウジング（60）に固定される固定スクロール（40）とを備えたスクロール流体機械であって、上記固定スクロール（40）と上記ハウジング（60）のそれぞれには、上記ハウジング（60）に対する上記固定スクロール（40）の固定位置を定めるための位置決め構造（44,67）が複数ずつ形成される一方、上記旋回側ラップ（52）の中心軸に対する上記ボス部（53）の中心軸の偏差を上記旋回スクロール（50）の寸法偏差とし、上記ハウジング（60）の各上記位置決め構造（67）から最短の等距離に位置する直線をハウジング側中心軸とし、上記軸受部（64）の中心軸に対する上記ハウジング側中心軸の偏差を上記ハウジング（60）の寸法偏差とし、上記固定スクロール（40）の各上記位置決め構造（44）から最短の等距離に位置する直線を固定側中心軸とし、上記固定側中心軸に対する上記固定側ラップ（42）の中心軸の偏差を上記固定スクロール（40）の寸法偏差とし、上記旋回スクロール（50）の寸法偏差と上記ハウジング（60）の寸法偏差と上記固定スクロール（40）の寸法偏差の合計を合計偏差としたときに、上記合計偏差の分散が上記固定スクロール（40）の寸法偏差の分散よりも小さくなるように、上記固定スクロール（40）の寸法偏差の分散が、上記固定スクロール（40）に形成された複数の上記位置決め構造（44）同士の間隔の分散よりも大きくなっていることを特徴とする。
【００１７】
第５の態様では、“固定スクロール（40）の寸法偏差の分散”が“固定スクロール（40）に形成された複数の位置決め構造（44）同士の間隔の分散”よりも大きくなっており、旋回スクロール（50）の寸法偏差とハウジング（60）の寸法偏差の一部または全部を固定スクロール（40）の寸法偏差で相殺することによって、“合計偏差の分散”を“固定スクロール（40）の寸法偏差の分散”よりも小さくすることが可能となる。従って、この態様によれば、旋回スクロール（50）とハウジング（60）と固定スクロール（40）の加工精度を従来よりも高めること無く、合計偏差の分散を引き下げることが可能となり、スクロール流体機械（10）の効率を向上させることが可能となる。
【００１８】
本開示の第６の態様は、旋回側ラップ（52）とボス部（53）とが形成された旋回スクロール（50）と、上記旋回スクロール（50）の上記ボス部（53）に連結する回転軸（25）を支持する軸受部（64）が形成されたハウジング（60）と、上記旋回側ラップ（52）と噛み合う固定側ラップ（42）が形成されて上記ハウジング（60）に固定される固定スクロール（40）とを備えたスクロール流体機械であって、上記固定スクロール（40）と上記ハウジング（60）のそれぞれには、上記ハウジング（60）に対する上記固定スクロール（40）の固定位置を定めるための位置決め構造（44,67）が複数ずつ形成される一方、上記旋回側ラップ（52）の中心軸に対する上記ボス部（53）の中心軸の偏差を上記旋回スクロール（50）の寸法偏差とし、上記ハウジング（60）の各上記位置決め構造（67）から最短の等距離に位置する直線をハウジング側中心軸とし、上記軸受部（64）の中心軸に対する上記ハウジング側中心軸の偏差を上記ハウジング（60）の寸法偏差とし、上記固定スクロール（40）の各上記位置決め構造（44）から最短の等距離に位置する直線を固定側中心軸とし、上記固定側中心軸に対する上記固定側ラップ（42）の中心軸の偏差を上記固定スクロール（40）の寸法偏差とし、上記旋回スクロール（50）の寸法偏差と上記ハウジング（60）の寸法偏差と上記固定スクロール（40）の寸法偏差の合計を合計偏差としたときに、上記合計偏差の分散が上記ハウジング（60）の寸法偏差の分散よりも小さくなるように、上記ハウジング（60）の寸法偏差の分散が、上記ハウジング（60）に形成された複数の上記位置決め構造（67）同士の間隔の分散よりも大きくなっていることを特徴とする。
【００１９】
第６の態様では、“ハウジング（60）の寸法偏差の分散”が“ハウジング（60）に形成された複数の位置決め構造（67）同士の間隔の分散”よりも大きくなっており、旋回スクロール（50）の寸法偏差と固定スクロール（40）の寸法偏差の一部または全部をハウジング（60）の寸法偏差で相殺することによって、“合計偏差の分散”を“ハウジング（60）の寸法偏差の分散”よりも小さくすることが可能となる。従って、この態様によれば、旋回スクロール（50）とハウジング（60）と固定スクロール（40）の加工精度を従来よりも高めること無く、合計偏差の分散を引き下げることが可能となり、スクロール流体機械（10）の効率を向上させることが可能となる。
【００２０】
本開示の第７の態様は、旋回側ラップ（52）とボス部（53）とが形成された旋回スクロール（50）と、上記旋回スクロール（50）の上記ボス部（53）に連結する回転軸（25）を支持する軸受部（64）が形成されたハウジング（60）と、上記旋回側ラップ（52）と噛み合う固定側ラップ（42）が形成されて上記ハウジング（60）に固定される固定スクロール（40）とを備え、上記固定スクロール（40）と上記ハウジング（60）のそれぞれに、上記ハウジング（60）に対する上記固定スクロール（40）の固定位置を定めるための位置決め構造（44,67）が複数ずつ形成されたスクロール流体機械の製造方法であって、被加工部品である上記旋回スクロール（50）の上記旋回側ラップ（52）及び上記ボス部（53）を加工する旋回スクロール加工工程と、被加工部品である上記固定スクロール（40）の上記固定側ラップ（42）及び上記位置決め構造（44）を加工する固定スクロール加工工程と、被加工部品である上記ハウジング（60）の上記軸受部（64）及び上記位置決め構造（67）を加工するハウジング加工工程とを備える一方、上記旋回側ラップ（52）の中心軸に対する上記ボス部（53）の中心軸の偏差を上記旋回スクロール（50）の寸法偏差とし、上記ハウジング（60）の各上記位置決め構造（67）から最短の等距離に位置する直線をハウジング側中心軸とし、上記軸受部（64）の中心軸に対する上記ハウジング側中心軸の偏差を上記ハウジング（60）の寸法偏差とし、上記固定スクロール（40）の各上記位置決め構造（44）から最短の等距離に位置する直線を固定側中心軸とし、上記固定側中心軸に対する上記固定側ラップ（42）の中心軸の偏差を上記固定スクロール（40）の寸法偏差とし、上記旋回スクロール加工工程と上記固定スクロール加工工程と上記ハウジング加工工程のうちの一つを後加工工程として、残り二つのうちの少なくとも一つを上記後加工工程よりも前に行われる前加工工程としたときに、上記前加工工程の終了後に、上記前加工工程において加工された被加工部品の寸法偏差を計測する計測工程と、上記計測工程において計測された上記被加工部品の寸法偏差が、上記後加工工程において加工される被加工部品の寸法偏差によって相殺されるように、上記後加工工程において加工される被加工部品の寸法偏差の目標値を設定する目標設定工程とを更に備え、上記後加工工程では、被加工部品の寸法偏差が上記目標設定工程において設定された目標値となるように、被加工部品の加工を行うことを特徴とする。
【００２１】
第７の態様では、前加工工程と、計測工程と、目標設定工程と、後加工工程とが順に行われる。後加工工程では、“被加工部品の寸法偏差”が“目標設定工程において設定された目標値”となるように、被加工部品の加工が行われる。その結果、後加工工程において加工された被加工部品の寸法偏差によって、前加工工程において加工された被加工部品の寸法偏差の一部または全部が相殺される。従って、この態様によれば、旋回スクロール（50）とハウジング（60）と固定スクロール（40）の加工精度を従来よりも高めること無く、合計偏差の分散を引き下げることが可能となり、スクロール流体機械（10）の効率を向上させることが可能となる。
【００２２】
本開示の第８の態様は、上記第７の態様において、上記旋回スクロール加工工程が上記前加工工程であり、上記固定スクロール加工工程が上記後加工工程であり、上記計測工程では、上記旋回スクロール加工工程において加工された上記旋回スクロール（50）の寸法偏差を計測し、上記目標設定工程では、上記計測工程において計測された上記旋回スクロール（50）の寸法偏差が、上記固定スクロール（40）の寸法偏差によって相殺されるように、上記固定スクロール（40）の寸法偏差の目標値を設定し、上記固定スクロール加工工程では、上記固定スクロール（40）の寸法偏差が上記目標設定工程において設定された目標値となるように、上記固定スクロール（40）の上記固定側ラップ（42）及び位置決め構造（44）を加工することを特徴とする。
【００２３】
第８の態様では、固定スクロール加工工程（後加工工程）において加工された固定スクロール（40）の寸法偏差が、旋回スクロール加工工程（前加工工程）において加工された旋回スクロール（50）の寸法偏差を相殺するような寸法偏差となる。そのため、この態様の製造方法によって製造されたスクロール流体機械（10）では、旋回スクロール（50）の寸法偏差の一部または全部が、固定スクロール（40）の寸法偏差によって相殺される。
【００２４】
本開示の第９の態様は、上記第７の態様において、上記旋回スクロール加工工程が上記前加工工程であり、上記ハウジング加工工程が上記後加工工程であり、上記計測工程では、上記旋回スクロール加工工程において加工された上記旋回スクロール（50）の寸法偏差を計測し、上記目標設定工程では、上記計測工程において計測された上記旋回スクロール（50）の寸法偏差が、上記ハウジング（60）の寸法偏差によって相殺されるように、上記ハウジング（60）の寸法偏差の目標値を設定し、上記ハウジング加工工程では、上記ハウジング（60）の寸法偏差が上記目標設定工程において設定された目標値となるように、上記ハウジング（60）の上記軸受部（64）及び上記位置決め構造（67）を加工することを特徴とする。
【００２５】
第９の態様では、ハウジング加工工程（後加工工程）において加工されたハウジング（60）の寸法偏差が、旋回スクロール加工工程（前加工工程）において加工された旋回スクロール（50）の寸法偏差を相殺するような寸法偏差となる。そのため、この態様の製造方法によって製造されたスクロール流体機械（10）では、旋回スクロール（50）の寸法偏差の一部または全部が、ハウジング（60）の寸法偏差によって相殺される。
【００２６】
本開示の第１０の態様は、上記第７の態様において、上記旋回スクロール加工工程と上記ハウジング加工工程とが上記前加工工程であり、上記固定スクロール加工工程が上記後加工工程であり、上記計測工程では、上記旋回スクロール加工工程において加工された上記旋回スクロール（50）の寸法偏差と、上記ハウジング加工工程において加工された上記ハウジング（60）の寸法偏差とを計測し、上記目標設定工程では、上記計測工程において計測された上記旋回スクロール（50）の寸法偏差と上記ハウジング（60）の寸法偏差とが、上記固定スクロール（40）の寸法偏差によって相殺されるように、上記固定スクロール（40）の寸法偏差の目標値を設定し、上記固定スクロール加工工程では、上記固定スクロール（40）の寸法偏差が上記目標設定工程において設定された目標値となるように、上記固定スクロール（40）の上記固定側ラップ（42）及び位置決め構造（44）を加工することを特徴とする。
【００２７】
第１０の態様では、固定スクロール加工工程（後加工工程）において加工された固定スクロール（40）の寸法偏差が、旋回スクロール加工工程（前加工工程）において加工された旋回スクロール（50）の寸法偏差と、ハウジング加工工程（前加工工程）において加工されたハウジング（60）の寸法偏差とを相殺するような寸法偏差となる。そのため、この態様の製造方法によって製造されたスクロール流体機械（10）では、旋回スクロール（50）の寸法偏差とハウジング（60）の寸法偏差の一部または全部が、固定スクロール（40）の寸法偏差によって相殺される。
【００２８】
本開示の第１１の態様は、上記第７の態様において、上記旋回スクロール加工工程と上記固定スクロール加工工程とが上記前加工工程であり、上記ハウジング加工工程が上記後加工工程であり、上記計測工程では、上記旋回スクロール加工工程において加工された上記旋回スクロール（50）の寸法偏差と、上記固定スクロール加工工程において加工された上記固定スクロール（40）の寸法偏差とを計測し、上記目標設定工程では、上記計測工程において計測された上記旋回スクロール（50）の寸法偏差と上記固定スクロール（40）の寸法偏差とが、上記ハウジング（60）の寸法偏差によって相殺されるように、上記ハウジング（60）の寸法偏差の目標値を設定し、上記ハウジング加工工程では、上記ハウジング（60）の寸法偏差が上記目標設定工程において設定された目標値となるように、上記ハウジング（60）の上記軸受部（64）及び上記位置決め構造（67）を加工することを特徴とする。
【００２９】
第１１の態様では、ハウジング加工工程（後加工工程）において加工されたハウジング（60）の寸法偏差が、旋回スクロール加工工程（前加工工程）において加工された旋回スクロール（50）の寸法偏差と、固定スクロール加工工程（前加工工程）において加工された固定スクロール（40）の寸法偏差とを相殺するような寸法偏差となる。そのため、この態様の製造方法によって製造されたスクロール流体機械（10）では、旋回スクロール（50）の寸法偏差と固定スクロール（40）の寸法偏差の一部または全部が、ハウジング（60）の寸法偏差によって相殺される。
【図面の簡単な説明】
【００３０】
【図１】図１は、実施形態１のスクロール圧縮機の縦断面図である。
【図２】図２は、実施形態１のスクロール圧縮機の旋回スクロールの平面図である。
【図３】図３は、図２のIII-III断面を示す旋回スクロールの断面図である。
【図４】図４は、実施形態１のスクロール圧縮機の固定スクロールの下面図である。
【図５】図５は、図４のV-V断面を示す固定スクロールの断面図である。
【図６】図６は、実施形態１のスクロール圧縮機のハウジングの平面図である。
【図７】図７は、図６のVII-VII断面を示す固定スクロールの断面図である。
【図８】図８は、実施形態１のスクロール圧縮機の圧縮機構の分解断面図である。
【図９】図９は、実施形態１のスクロール圧縮機の製造方法の要部を示すブロック図である。
【図１０】図１０は、実施形態１のスクロール圧縮機の寸法偏差を二次元座標に示した図である。
【図１１】図１１は、実施形態１のスクロール圧縮機の旋回スクロールの寸法偏差の分布を二次元座標に示した図である。
【図１２】図１２は、実施形態１のスクロール圧縮機のハウジングの寸法偏差の分布を二次元座標に示した図である。
【図１３】図１３は、実施形態１のスクロール圧縮機の固定スクロールの寸法偏差の分布を二次元座標に示した図である。
【図１４】図１４は、実施形態１のスクロール圧縮機の合計偏差の分布を二次元座標に示した図である。
【図１５】図１５は、実施形態２のスクロール圧縮機の旋回スクロールの寸法偏差を二次元座標に示した図である。
【図１６】図１６は、実施形態３のスクロール圧縮機の旋回スクロールの寸法偏差を二次元座標に示した図である。
【図１７】図１７は、実施形態４のスクロール圧縮機の旋回スクロールの寸法偏差を二次元座標に示した図である。
【図１８】図１８は、寸法偏差の目標値をゼロとして加工された固定スクロールの寸法偏差の分布を二次元座標に示した図である。
【図１９】図１９は、従来のスクロール圧縮機の旋回スクロールの寸法偏差を二次元座標に示した図である。
【図２０】図２０は、従来のスクロール圧縮機の合計偏差の分布を二次元座標に示した図である。
【発明を実施するための形態】
【００３１】
《実施形態１》
実施形態１のスクロール圧縮機（10）について説明する。このスクロール圧縮機（10）は、スクロール流体機械であって、冷媒が循環して冷凍サイクルを行う冷媒回路（図示省略）に接続され、流体である冷媒を圧縮する。
【００３２】
−スクロール圧縮機の全体構成−
図１に示すように、スクロール圧縮機（10）は、密閉容器であるケーシング（11）に圧縮機構（30）と電動機（20）とが収容された全密閉型圧縮機である。
【００３３】
ケーシング（11）は、両端が閉塞された円筒状の圧力容器である。ケーシング（11）は、その軸方向が上下方向となる姿勢で設置される。ケーシング（11）の上端部には、冷媒回路の冷媒を圧縮機構（30）へ導入するための吸入管（12）が設けられる。また、ケーシング（11）には、ケーシング（11）内の冷媒をケーシング（11）外に導出するための吐出管（13）が設けられる。
【００３４】
ケーシング（11）の内部において、電動機（20）は、圧縮機構（30）の下方に配置される。電動機（20）と圧縮機構（30）は、駆動軸（25）によって連結される。電動機（20）は、固定子（21）と回転子（22）とを備える。電動機（20）の固定子（21）は、ケーシング（11）に固定される。電動機（20）の回転子（22）は、駆動軸（25）に取り付けられる。
【００３５】
駆動軸（25）は、主軸部（26）と、偏心軸部（27）とを備える。主軸部（26）は、その軸心が駆動軸（25）の軸心と一致する。主軸部（26）には、電動機（20）の回転子（22）が取り付けられる。主軸部（26）は、回転子（22）の上側の部分が、後述するハウジング（60）の軸受部（64）に支持される。偏心軸部（27）は、比較的短い軸状に形成され、主軸部（26）の上端に突設される。偏心軸部（27）の軸心は、主軸部（26）の軸心と実質的に平行であり、主軸部（26）の軸心に対して偏心している。
【００３６】
−圧縮機構の構成−
圧縮機構（30）は、旋回スクロール（50）と、固定スクロール（40）と、ハウジング（60）と、オルダム継手（32）とを備える。圧縮機構（30）では、旋回スクロール（50）と固定スクロール（40）が、流体室である圧縮室（31）を形成する。
【００３７】
ハウジング（60）は、ケーシング（11）に固定される。固定スクロール（40）は、ハウジング（60）の上面に配置される。旋回スクロール（50）は、固定スクロール（40）とハウジング（60）との間に配置される。
【００３８】
オルダム継手（32）は、旋回スクロール（50）とハウジング（60）の間に配置される。オルダム継手（32）は、後述する旋回スクロール（50）のキー溝（54）と、後述するハウジング（60）のキー溝（63）とに係合し、旋回スクロール（50）の自転を規制する。
【００３９】
〈旋回スクロール〉
図２及び図３に示すように、旋回スクロール（50）は、旋回側鏡板部（51）と、旋回側ラップ（52）と、ボス部（53）とを備える。
【００４０】
旋回側鏡板部（51）は、概ね円形の平板状に形成される。旋回側ラップ（52）は、インボリュート曲線を描く渦巻き壁状に形成され、旋回側鏡板部（51）の前面（図３における上面）から突出する。ボス部（53）は、旋回側鏡板部（51）の背面（図３における下面）から突出する円筒状に形成され、旋回側鏡板部（51）の中央部に配置される。ボス部（53）は、ジャーナル軸受を構成する。このボス部（53）には、駆動軸（25）の偏心軸部（27）が差し込まれる（図１を参照）。
【００４１】
旋回スクロール（50）の旋回側鏡板部（51）には、キー溝（54）が形成される。キー溝（54）は、旋回側鏡板の背面に開口する凹溝である。キー溝（54）は、ボス部（53）を挟んで対向する位置に一つずつ配置される。このキー溝（54）には、オルダム継手（32）のキーが嵌まり込む。
【００４２】
直線ＣＬＯＢは、ボス部（53）の中心軸ＣＬＯＢであり、点ＣＰＯＢは、ボス部（53）の中心軸ＣＬＯＢ上の点である。また、点ＣＰＯＷは、旋回側ラップ（52）の中心であり、直線ＣＬＯＷは、旋回側ラップ（52）の中心軸ＣＬＯＷである。旋回側ラップ（52）の中心は、旋回側ラップ（52）の形状を規定するインボリュート曲線の基礎円の中心である。点ＣＰＯＢと点ＣＰＯＷは、ボス部（53）の中心軸ＣＬＯＢと直交する一つの平面上の点である。旋回側ラップ（52）の中心軸ＣＬＯＷは、点ＣＰＯＷを通り、且つボス部（53）の中心軸ＣＬＯＢと平行な直線である。
【００４３】
旋回スクロール（50）の寸法偏差ＤＯは、旋回側ラップ（52）の中心軸ＣＬＯＷに対するボス部（53）の中心軸ＣＬＯＢの偏差である。この寸法偏差ＤＯは、点ＣＰＯＷを始点として点ＣＰＯＢを終点とするベクトルである。なお、図２及び図３では、旋回スクロール（50）の寸法偏差ＤＯを誇張して示している。旋回スクロール（50）の寸法偏差ＤＯの大きさは、最大でも数十μｍ程度である。
【００４４】
〈固定スクロール〉
図４及び図５に示すように、固定スクロール（40）は、固定側鏡板部（41）と、固定側ラップ（42）と、外周壁部（43）とを備える。
【００４５】
固定側鏡板部（41）は、固定スクロール（40）の上部に位置する比較的肉厚の平板状の部分である。固定側ラップ（42）は、インボリュート曲線を描く渦巻き壁状に形成され、固定側鏡板部（41）の前面（図５における下面）から突出する。外周壁部（43）は、固定側ラップ（42）の外周側を囲むように形成され、固定側鏡板部（41）の前面から突出する。外周壁部（43）の突端面（図５における下端面）は、実質的な平坦面である。また、外周壁部（43）の突端面は、固定側ラップ（42）の突端面（図５における下端面）と実質的に面一である。
【００４６】
固定スクロール（40）には、二つの位置決め穴（44）が形成される。各位置決め穴（44）は、ハウジング（60）に対する固定スクロール（40）の固定位置を定めるための位置決め構造である。
【００４７】
各位置決め穴（44）は、外周壁部（43）の突端面に開口する円形断面の穴である。各位置決め穴（44）は、それぞれの中心軸が互いに実質的に平行であり、且つそれぞれの中心軸が外周壁部（43）の突端面と実質的に直交する。各位置決め穴（44）は、外周壁部（43）の外周縁付近に配置される。また、二つの位置決め穴（44）は、一方が他方に対して固定側ラップ（42）を挟んだ反対側に配置される。各位置決め穴（44）と後述する位置決めピン（35）の「はめあい」は、ハウジング（60）に対する固定スクロール（40）の固定位置を所望の精度で定められるように選択される。
【００４８】
直線ＣＬＦＰは、固定側中心軸ＣＬＦＰであり、点ＣＰＦＰは、固定側中心軸ＣＬＦＰ上の点である。固定側中心軸ＣＬＦＰは、二つの位置決め穴（44）の中心軸ＣＡＦＰを含む一つの平面上に位置し、各位置決め穴（44）の中心軸ＣＡＦＰからの距離が等しい直線である。固定側中心軸ＣＬＦＰは、各位置決め穴（44）の中心軸ＣＡＦＰから等距離かつ最短距離に位置する。
【００４９】
点ＣＰＦＷは、固定側ラップ（42）の中心であり、直線ＣＬＦＷは、固定側ラップ（42）の中心軸ＣＬＦＷである。固定側ラップ（42）の中心は、固定側ラップ（42）の形状を規定するインボリュート曲線の基礎円の中心である。点ＣＰＦＰと点ＣＰＦＷは、固定側中心軸ＣＬＦＰと直交する一つの平面上の点である。固定側ラップ（42）の中心軸ＣＬＦＷは、点ＣＰＦＷを通り、且つ固定側中心軸ＣＬＦＰと平行な直線である。
【００５０】
固定スクロール（40）の寸法偏差ＤＦは、固定側中心軸ＣＬＦＰに対する固定側ラップ（42）の中心軸ＣＬＦＷの偏差である。この寸法偏差ＤＦは、点ＣＰＦＰを始点として点ＣＰＦＷを終点とするベクトルである。なお、図４及び図５では、固定スクロール（40）の寸法偏差ＤＦを誇張して示している。固定スクロール（40）の寸法偏差ＤＦの大きさは、最大でも数十μｍ程度である。
【００５１】
〈ハウジング〉
図６及び図７に示すように、ハウジング（60）は、本体部（61）と、軸受部（64）と、保持用突部（66）とを備える。
【００５２】
本体部（61）は、肉厚の円板状に形成される。本体部（61）の中央部には、クランク室（62）が形成される。クランク室（62）は、本体部（61）の前面（図７における上面）に開口する円柱状の窪みである。また、本体部（61）には、キー溝（63）が形成される。キー溝（63）は、本体部（61）の前面に開口する凹溝である。キー溝（63）は、クランク室（62）を挟んで対向する位置に一つずつ配置される。このキー溝（63）には、オルダム継手（32）のキーが嵌まり込む。
【００５３】
軸受部（64）は、本体部（61）の背面（図７における下面）から突出する円筒状に形成され、本体部（61）の中央部に配置される。軸受部（64）は、ジャーナル軸受を構成する。軸受部（64）の内側には、軸受メタル（65）が配置される（図１を参照）。この軸受部（64）には、駆動軸（25）の主軸部（26）が挿し通される。
【００５４】
ハウジング（60）には、四つの保持用突部（66）が形成される。各保持用突部（66）は、本体部（61）の前面から突出している。また、各保持用突部（66）は、本体部（61）の外周縁に沿って延びる湾曲した形状に形成される。各保持用突部（66）の突端面（図７における上面）は、実質的な平坦面である。また、各保持用突部（66）の突端面は、互いに実質的に面一である。
【００５５】
ハウジング（60）には、二つの位置決め穴（67）が形成される。各位置決め穴（67）は、ハウジング（60）に対する固定スクロール（40）の固定位置を定めるための位置決め構造である。
【００５６】
各位置決め穴（67）は、保持用突部（66）の突端面に開口する円形断面の穴である。各位置決め穴（67）は、それぞれの中心軸が互いに実質的に平行であり、且つそれぞれの中心軸が保持用突部（66）の突端面と実質的に直交する。二つの位置決め穴（67）は、一方が他方に対してクランク室（62）を挟んだ反対側に配置される。各位置決め穴（67）と後述する位置決めピン（35）の「はめあい」は、ハウジング（60）に対する固定スクロール（40）の固定位置を所望の精度で定められるように選択される。
【００５７】
直線ＣＬＨＢは、軸受部（64）の中心軸ＣＬＨＢであり、点ＣＰＨＢは、軸受部（64）の中心軸ＣＬＨＢ上の点である。また、直線ＣＬＨＰは、ハウジング側中心軸ＣＬＨＰであり、点ＣＰＨＰは、ハウジング側中心軸ＣＬＨＰ上の点である。ハウジング側中心軸ＣＬＨＰは、二つの位置決め穴（67）の中心軸ＣＡＨＰを含む一つの平面上に位置し、各位置決め穴（67）の中心軸ＣＡＨＰからの距離が等しい直線である。ハウジング側中心軸ＣＬＨＰは、各位置決め穴（67）の中心軸ＣＡＨＰから等距離かつ最短距離に位置する。
【００５８】
ハウジング（60）の寸法偏差ＤＨは、軸受部（64）の中心軸ＣＬＨＢに対するハウジング側中心軸ＣＬＨＰの偏差である。この寸法偏差ＤＨは、点ＣＰＨＢを始点として点ＣＰＨＰを終点とするベクトルである。なお、図６及び図７では、ハウジング（60）の寸法偏差ＤＨを誇張して示している。ハウジング（60）の寸法偏差ＤＨの大きさは、最大でも数十μｍ程度である。
【００５９】
〈固定スクロールと旋回スクロールとハウジングの配置〉
図８に示すように、固定スクロール（40）は、ハウジング（60）の上方に配置され、旋回スクロール（50）は、固定スクロール（40）とハウジング（60）との間に配置される。また、図８では図示を省略するが、旋回スクロール（50）とハウジング（60）の間には、オルダム継手（32）が配置される。
【００６０】
固定スクロール（40）とハウジング（60）は、それぞれの位置決め穴（44,67）に位置決めピン（35）が嵌り込む姿勢で組み合わされる。つまり、互いに向かい合う固定スクロール（40）の位置決め穴（44）とハウジング（60）の位置決め穴（67）には、対応する位置決めピン（35）が一本ずつ嵌り込む。このため、固定スクロール（40）とハウジング（60）を組み合わせた状態では、固定スクロール（40）の各位置決め穴（44）の中心軸ＣＡＦＰと、ハウジング（60）の各位置決め穴（67）の中心軸ＣＡＨＰとが互いに実質的に一致する。
【００６１】
固定スクロール（40）は、図外の複数のボルトによってハウジング（60）に固定される。このボルトを締め込むと、固定スクロール（40）の外周壁部（43）の突端面が、ハウジング（60）の保持用突部（66）の突端面と密着する。そして、固定スクロール（40）は、ハウジング（60）に対して、固定側中心軸ＣＬＦＰがハウジング側中心軸ＣＬＨＰと実質的に一致する姿勢で固定される。
【００６２】
−スクロール圧縮機の製造方法−
スクロール圧縮機（10）の製造方法について説明する。スクロール圧縮機（10）の製造方法では、圧縮機構（30）の構成部品を加工する工程と、圧縮機構（30）の構成部品を組み立てて駆動軸（25）と連結する工程と、圧縮機構（30）と電動機（20）とをケーシング（11）に収容する工程とが行われる。ここでは、圧縮機構（30）の構成部品を加工する工程の要部について説明する。
【００６３】
圧縮機構（30）の構成部品を加工する工程では、旋回スクロール加工工程と、ハウジング加工工程と、固定スクロール加工工程と、計測工程と、目標設定工程とが行われる。
【００６４】
図９に示すように、本実施形態のスクロール圧縮機（10）の製造方法では、旋回スクロール加工工程およびハウジング加工工程が前加工工程となり、固定スクロール加工工程が後加工工程となる。また、本実施形態のスクロール圧縮機（10）では、後加工工程において加工される固定スクロール（40）が第１部品となり、前加工工程において加工される旋回スクロール（50）及びハウジング（60）が第２部品となる。
【００６５】
前加工工程である旋回スクロール加工工程とハウジング加工工程は、計測工程および目標設定工程よりも前に行われる。前加工工程である旋回スクロール加工工程とハウジング加工工程は、一方が他方の後に行われてもよいし、両方が同時に並行して行われてもよい。後加工工程である固定スクロール加工工程は、計測工程および目標設定工程よりも後に行われる。
【００６６】
〈旋回スクロール加工工程〉
旋回スクロール加工工程では、旋回側ラップ（52）の表面と、旋回側鏡板部（51）の前面と、ボス部（53）の内周面と、キー溝（54）の表面とに、切削加工が施される（図２及び図３を参照）。つまり、旋回スクロール加工工程では、旋回側ラップ（52）及びボス部（53）の加工が行われる。この旋回スクロール加工工程において、旋回側ラップ（52）及びボス部（53）の加工条件は、旋回側ラップ（52）の中心軸ＣＬＯＷとボス部（53）の中心軸ＣＬＯＢを一致させることを目標とした条件（即ち、旋回スクロール（50）の寸法偏差ＤＯの目標値をゼロとした条件）に設定される。
【００６７】
〈ハウジング加工工程〉
ハウジング加工工程では、保持用突部（66）の突端面と、クランク室（62）の周縁部の表面と、軸受部（64）の内周面と、キー溝（63）の表面とに、切削加工が施される（図６及び図７を参照）。また、ハウジング加工工程では、保持用突部（66）に位置決め穴（67）を形成する加工が行われる。つまり、ハウジング加工工程では、軸受部（64）及び位置決め穴（67）の加工が行われる。このハウジング加工工程において、軸受部（64）及び位置決め穴（67）の加工条件は、軸受部（64）の中心軸ＣＬＨＢとハウジング側中心軸ＣＬＨＰを一致させることを目標とした条件（即ち、ハウジング（60）の寸法偏差ＤＨの目標値をゼロとした条件）に設定される。
【００６８】
〈計測工程〉
計測工程では、旋回スクロール加工工程において加工された旋回スクロール（50）と、ハウジング加工工程において加工されたハウジング（60）のそれぞれについて、寸法の計測が行われる。そして、計測工程では、旋回スクロール（50）の寸法偏差ＤＯと、ハウジング（60）の寸法偏差ＤＨとが算出される。
【００６９】
具体的に、計測工程では、旋回スクロール（50）の寸法の計測値に基づいて、旋回側ラップ（52）の中心点ＣＰＯＷの位置と、ボス部（53）の中心軸ＣＬＯＢ上の点ＣＰＯＢの位置とが算出される（図２及び図３を参照）。上述したように、旋回スクロール（50）の寸法偏差ＤＯは、点ＣＰＯＷを始点として点ＣＰＯＢを終点とするベクトルである。計測工程では、算出された点ＣＰＯＷ及び点ＣＰＯＢの位置に基づいて、旋回スクロール（50）の寸法偏差であるベクトルＤＯが特定される。
【００７０】
また、計測工程では、ハウジング（60）の寸法の計測値に基づいて、軸受部（64）の中心軸ＣＬＨＢ上の点ＣＰＨＢの位置と、ハウジング側中心軸ＣＬＨＰ上の点ＣＰＨＰの位置とが算出される（図６及び図７を参照）。上述したように、ハウジング（60）の寸法偏差ＤＨは、点ＣＰＨＢを始点として点ＣＰＨＰを終点とするベクトルである。計測工程では、算出された点ＣＰＨＢ及び点ＣＰＨＰの位置に基づいて、ハウジング（60）の寸法偏差であるベクトルＤＨが特定される。
【００７１】
〈目標設定工程〉
目標設定工程では、後加工工程である固定スクロール加工工程において加工される固定スクロール（40）の寸法偏差ＤＦの目標値が設定される。この目標設定工程では、固定スクロール（40）の寸法偏差ＤＦの目標値である目標ベクトルＤＦ’＝（ｘＦ’,ｙＦ’）が、計測工程において算出された旋回スクロール（50）の寸法偏差ＤＯとハウジング（60）の寸法偏差ＤＨとを相殺するように設定される。ここでは、目標設定工程について、図１０を参照しながら説明する。
【００７２】
図１０は、旋回側ラップ（52）の中心点ＣＰＯＷを原点Ｏとする二次元座標を示す。この二次元座標において、計測工程で得られた旋回スクロール（50）の寸法偏差をベクトルＤＯ＝（ｘＯ,ｙＯ）とし、計測工程で得られたハウジング（60）の寸法偏差をベクトルＤＨ＝（ｘＨ,ｙＨ）とする。
【００７３】
旋回スクロール（50）のボス部（53）の中心軸ＣＬＯＢとハウジング（60）の軸受部（64）の中心軸ＣＬＨＢが一致する仮想状態では、ボス部（53）の中心軸ＣＬＯＢ上の点ＣＰＯＢと、軸受部（64）の中心軸ＣＬＨＢ上の点ＣＰＨＢとが一致する。従って、図１０の二次元座標において、旋回スクロール（50）の寸法偏差（ベクトルＤＯ）は、原点Ｏを始点として点Ａを終点とするベクトルであり、ハウジング（60）の寸法偏差（ベクトルＤＨ）は、点Ａを始点として点Ｂを終点とするベクトルである。点Ａは、ボス部（53）の中心軸ＣＬＯＢ上の点ＣＰＯＢであり、且つ軸受部（64）の中心軸ＣＬＨＢ上の点ＣＰＨＢである。点Ｂは、ハウジング側中心軸ＣＬＨＰ上の点ＣＰＨＰである。
【００７４】
固定スクロール（40）とハウジング（60）は、それぞれの位置決め穴（44,67）に嵌り込む位置決めピン（35）によって、相対的な位置が設定される。固定スクロール（40）において、固定側中心軸ＣＬＦＰ上の点ＣＰＦＰは、各位置決め穴（44）の中心軸ＣＡＦＰからの距離が等しい。また、ハウジング（60）において、ハウジング側中心軸ＣＬＨＰ上の点ＣＰＨＰは、各位置決め穴（67）の中心軸ＣＡＨＰからの距離が等しい。このため、固定スクロール（40）の点ＣＰＦＰは、ハウジング（60）の点ＣＰＨＰと一致する。従って、図１０において、固定スクロール（40）の寸法偏差であるベクトルＤＦの始点は、点Ｂとなる。
【００７５】
固定スクロール（40）の寸法偏差であるベクトルＤＦの終点は、固定側ラップ（42）の中心点ＣＰＦＷである。従って、固定スクロール（40）の寸法偏差（ベクトルＤＦ）によって旋回スクロール（50）の寸法偏差ＤＯとハウジング（60）の寸法偏差ＤＨとを相殺するには、ベクトルＤＦの終点を原点Ｏにすればよい。つまり、ベクトルＤＦ（固定スクロール（40）の寸法偏差）を、ベクトルＤＯ（旋回スクロール（50）の寸法偏差）とベクトルＤＨ（ハウジング（60）の寸法偏差）の和（ベクトルＤＯ＋ベクトルＤＨ＝（ｘＯ＋ｘＨ,ｙＯ＋ｙＨ））の逆ベクトルにすればよい。そこで、目標設定工程では、固定スクロール（40）の寸法偏差の目標値である目標ベクトルＤＦ’が、ＤＦ’＝（ｘＦ’,ｙＦ’）＝（−(ｘＯ＋ｘＨ),−(ｙＯ＋ｙＨ)）に設定される。
【００７６】
〈固定スクロール加工工程〉
固定スクロール加工工程では、固定側ラップ（42）の表面と、固定側鏡板部（41）の前面と、外周壁部（43）の前面とに、切削加工が施される（図４及び図５を参照）。また、固定スクロール加工工程では、外周壁部（43）に位置決め穴（44）を形成する加工が行われる。つまり、固定スクロール加工工程では、固定側ラップ（42）及び位置決め穴（44）の加工が行われる。この固定スクロール加工工程では、固定スクロール（40）の寸法偏差であるベクトルＤＦが目標ベクトルＤＦ’となるような加工条件で、固定側ラップ（42）と位置決め穴（44）の加工が行われる。
【００７７】
−圧縮機構の寸法偏差−
本実施形態の製造方法によって製造されたスクロール圧縮機（10）について、旋回スクロール（50）と固定スクロール（40）とハウジング（60）のそれぞれの寸法偏差と、それらの合計である合計偏差について説明する。
【００７８】
〈旋回スクロールの寸法偏差〉
上述したように、旋回スクロール加工工程では、旋回側ラップ（52）の中心軸ＣＬＯＷとボス部（53）の中心軸ＣＬＯＢを一致させることを目標とした加工条件で、旋回側ラップ（52）とボス部（53）の加工が行われる。
【００７９】
実際の旋回スクロール加工工程では、加工誤差が生じる。このため、旋回側ラップ（52）の中心軸ＣＬＯＷとボス部（53）の中心軸ＣＬＯＢは、通常は一致しない。図１１は、数十個の旋回スクロール（50）について、それぞれの寸法偏差（ベクトルＤＯ）の分布を、二次元座標に示したものである。図１１において、二次元座標の原点は、旋回側ラップ（52）の中心軸ＣＬＯＷ上の点ＣＰＯＷ（即ち、ベクトルＤＯの始点）である。また、この二次元座標上の点は、ボス部（53）の中心軸ＣＬＯＢ上の点ＣＰＯＢ（即ち、ベクトルＤＯの終点）である。
【００８０】
図１１の二次元座標において、点ＣＰＯＢ（ベクトルＤＯの終点）は、ｘ座標がｘＯｉ（i=1,2,・・・・,n）であり、ｙ座標がｙＯｉ（i=1,2,・・・・,n）である。旋回スクロール（50）の寸法偏差（ベクトルＤＯ）のｘ方向成分とｙ方向成分は、それぞれの確率分布が図１１に示すような正規分布である。また、旋回スクロール（50）の寸法偏差（ベクトルＤＯ）は、ｘ方向成分の分散がＶＯｘであり、ｙ方向成分の分散がＶＯｙである。
【００８１】
旋回スクロール加工工程では、旋回側鏡板部（51）の前面側から旋回側ラップ（52）の加工が行われ、旋回側鏡板部（51）の背面側からボス部（53）の加工が行われる。このため、旋回スクロール加工工程では、比較的大きな加工誤差が生じる。従って、通常、旋回スクロール（50）の寸法偏差（ベクトルＤＯ）は、ｘ方向成分の分散ＶＯｘとｙ方向成分の分散ＶＯｙのそれぞれが、比較的大きくなる。
【００８２】
〈ハウジングの寸法偏差〉
上述したように、ハウジング加工工程では、軸受部（64）の中心軸ＣＬＨＢとハウジング側中心軸ＣＬＨＰを一致させることを目標とした加工条件で、軸受部（64）と位置決め穴（67）の加工が行われる。
【００８３】
実際のハウジング加工工程では、加工誤差が生じる。このため、ハウジング側中心軸ＣＬＨＰと軸受部（64）の中心軸ＣＬＨＢは、通常は一致しない。図１２は、数十個のハウジング（60）について、それぞれの寸法偏差（ベクトルＤＨ）の分布を、二次元座標に示したものである。図１２において、二次元座標の原点は、軸受部（64）の中心軸ＣＬＨＢ上の点ＣＰＨＢ（即ち、ベクトルＤＨの始点）である。また、この二次元座標上の点は、ハウジング側中心軸ＣＬＨＰ上の点ＣＰＨＰ（即ち、ベクトルＤＨの終点）である。
【００８４】
図１２の二次元座標において、点ＣＰＨＰ（ベクトルＤＨの終点）は、ｘ座標がｘＨｉ（i=1,2,・・・・,n）であり、ｙ座標がｙＨｉ（i=1,2,・・・・,n）である。ハウジング（60）の寸法偏差（ベクトルＤＨ）のｘ方向成分とｙ方向成分は、それぞれの確率分布が図１２に示すような正規分布である。また、ハウジング（60）の寸法偏差（ベクトルＤＨ）は、ｘ方向成分の分散がＶＨｘであり、ｙ方向成分の分散がＶＨｙである。
【００８５】
ハウジング（60）の軸受部（64）は、本体部（61）を貫通する孔を形成する。従って、ハウジング加工工程では、ワークの姿勢を一定に保ったまま、本体部（61）の前面側から軸受部（64）を計測して中心軸ＣＬＨＢの位置を特定し、特定した中心軸ＣＬＨＢの位置に基づいて位置決め穴（67）の加工位置を定めることができる。このため、ハウジング加工工程で生じる加工誤差は、通常、旋回スクロール加工工程で生じる加工誤差よりも小さくなる。従って、通常、ハウジング（60）の寸法偏差（ベクトルＤＨ）のｘ方向成分の分散ＶＨｘ及びｙ方向成分の分散ＶＨｙは、それぞれ、旋回スクロール（50）の寸法偏差（ベクトルＤＯ）の分散ＶＯｘ及び分散ＶＯｙよりも小さくなる。
【００８６】
〈固定スクロールの寸法偏差〉
上述したように、固定スクロール加工工程では、固定スクロール（40）の寸法偏差を目標ベクトルＤＦ’に一致させることを目標とした加工条件で、固定側ラップ（42）及び位置決め穴（44）の加工が行われる。
【００８７】
目標ベクトルＤＦ’は、旋回スクロール（50）の寸法偏差ＤＯとハウジング（60）の寸法偏差ＤＨとを相殺するように設定される。従って、この目標ベクトルＤＦ’には、旋回スクロール加工工程で生じた加工誤差と、ハウジング加工工程で生じた加工誤差とが含まれる。更に、固定スクロール加工工程においても、加工誤差が生じる。このため、固定スクロール加工工程において加工された固定スクロール（40）の寸法偏差（ベクトルＤＦ）は、通常は目標ベクトルＤＦ’と一致しない。
【００８８】
図１３は、本実施形態の固定スクロール加工工程によって加工された数十個の固定スクロール（40）について、それぞれの寸法偏差（ベクトルＤＦ）の分布を、二次元座標に示したものである。図１３において、二次元座標の原点は、固定側中心軸ＣＬＦＰ上の点ＣＰＦＰ（即ち、ベクトルＤＦの始点）である。また、この二次元座標上の点は、固定側ラップ（42）の中心軸ＣＬＦＷ上の点ＣＰＦＷ（即ち、ベクトルＤＦの終点）である。
【００８９】
図１３の二次元座標において、点ＣＰＦＷ（ベクトルＤＦの終点）は、ｘ座標がｘＦｉ（i=1,2,・・・・,n）であり、ｙ座標がｙＦｉ（i=1,2,・・・・,n）である。固定スクロール（40）の寸法偏差（ベクトルＤＦ）のｘ方向成分とｙ方向成分は、それぞれの確率分布が図１３に示すような正規分布である。また、固定スクロール（40）の寸法偏差（ベクトルＤＦ）は、ｘ方向成分の分散がＶＦｘであり、ｙ方向成分の分散がＶＦｙである。
【００９０】
固定スクロール加工工程において加工された固定スクロール（40）の寸法偏差（ベクトルＤＦ）には、目標ベクトルＤＦ’に含まれる旋回スクロール加工工程およびハウジング加工工程の加工誤差と、固定スクロール加工工程の加工誤差とが含まれる。
【００９１】
このため、固定スクロール（40）の寸法偏差（ベクトルＤＦ）のｘ方向成分の分散ＶＦｘは、旋回スクロール（50）の寸法偏差（ベクトルＤＯ）のｘ方向成分の分散ＶＯｘと、ハウジング（60）の寸法偏差（ベクトルＤＨ）のｘ方向成分の分散ＶＨｘとを包括する。具体的には、分散ＶＦｘが分散ＶＯｘと分散ＶＨｘの和以上となる（ＶＦｘ≧ＶＯｘ＋ＶＨｘ）。
【００９２】
また、固定スクロール（40）の寸法偏差（ベクトルＤＦ）のｙ方向成分の分散ＶＦｙは、旋回スクロール（50）の寸法偏差（ベクトルＤＯ）のｙ方向成分の分散ＶＯｙと、ハウジング（60）の寸法偏差（ベクトルＤＨ）のｙ方向成分の分散ＶＨｙとを包括する。具体的には、分散ＶＦｙが分散ＶＯｙと分散ＶＨｙの和以上となる（ＶＦｙ≧ＶＯｙ＋ＶＨｙ）。
【００９３】
また、本実施形態の固定スクロール加工工程において加工された固定スクロール（40）は、固定スクロール（40）の寸法偏差（ベクトルＤＦ）のｘ方向成分の分散ＶＦｘ及びｙ方向成分の分散ＶＦｙのそれぞれが、二つの位置決め穴（44）同士の間隔ＬＦＰの分散よりも大きい。位置決め穴（44）同士の間隔ＬＦＰは、各位置決め穴（44）の中心軸ＣＡＦＰ同士の距離である（図５を参照）。
【００９４】
〈固定スクロール加工工程において生じる加工誤差〉
本実施形態の固定スクロール加工工程において生じる加工誤差について説明する。本実施形態の固定スクロール加工工程で生じる加工誤差は、一般的な固定スクロール加工工程で生じる加工誤差と実質的に同じである。
【００９５】
一般的な固定スクロール加工工程では、固定側中心軸ＣＬＦＰと固定側ラップ（42）の中心軸ＣＬＦＷを一致させること（即ち、固定スクロール（40）の寸法偏差ＤＦをゼロにすること）を目標とした加工条件で、固定側ラップ（42）と位置決め穴（44）の加工が行われる。図１８は、一般的な固定スクロール加工工程において加工された数十個の固定スクロール（40）について、それぞれの寸法偏差（ベクトルＤＦ）の分布を、二次元座標に示したものである。この図１８の二次元座標は、図１３に示す二次元座標と同じである。
【００９６】
本実施形態の固定スクロール加工工程と一般的な固定スクロール加工工程の何れにおいても、固定側ラップ（42）と位置決め穴（44）の加工の両方が、外周壁部（43）の突端面側から行われる。このため、固定スクロール加工工程で生じる加工誤差は、通常、旋回スクロール加工工程で生じる加工誤差よりも小さくなる。
【００９７】
従って、固定スクロール（40）の寸法偏差ＤＦをゼロにすることを目標とした加工条件で固定スクロール（40）を加工した場合、固定スクロール（40）の寸法偏差（ベクトルＤＦ）は、通常、ｘ方向成分の分散ＶＦｘ及びｙ方向成分の分散ＶＦｙが、それぞれ、旋回スクロール（50）の寸法偏差（ベクトルＤＯ）の分散ＶＯｘ及び分散ＶＯｙよりも小さくなる。また、この場合、固定スクロール（40）の寸法偏差（ベクトルＤＦ）のｘ方向成分の分散ＶＦｘ及びｙ方向成分の分散ＶＦｙは、それぞれ、ハウジング（60）の寸法偏差（ベクトルＤＨ）の分散ＶＨｘ及び分散ＶＨｙよりも小さくなる。
【００９８】
〈合計偏差〉
旋回スクロール（50）の寸法偏差（ベクトルＤＯ）とハウジング（60）の寸法偏差（ベクトルＤＨ）と固定スクロール（40）の寸法偏差（ベクトルＤＦ）の合計である合計偏差ＤＡＳは、ベクトルＤＯとベクトルＤＨとベクトルＤＦの和である。ベクトルＤＯとベクトルＤＨとベクトルＤＦの和である合成ベクトルＤＡＳの終点は、点Ｂを始点とするベクトルＤＦの終点Ｃである（図１０を参照）。
【００９９】
図１０に示すように、固定スクロール（40）の寸法偏差（ベクトルＤＦ）が目標ベクトルＤＦ’と一致する場合は、合計偏差がゼロ（ゼロベクトル）となる。しかし、後加工工程である固定スクロール加工工程においても、加工誤差は生じる。このため、殆どの場合、固定スクロール（40）の寸法偏差（ベクトルＤＦ）は目標ベクトルＤＦ’と異なり、従って、合計偏差はゼロにならない。
【０１００】
上述したように、本実施形態の固定スクロール加工工程で生じる加工誤差は、固定スクロール（40）の寸法偏差ＤＦをゼロにすることを目標とした加工条件で固定スクロール（40）を加工した場合の加工誤差と実質的に同じである。このため、ベクトルＤＯとベクトルＤＨとベクトルＤＦの和である合成ベクトルＤＡＳの終点Ｃは、図１０の領域ＡＡＳ１内に位置する。
【０１０１】
なお、図１０では、領域ＡＡＳ１を、模式的に原点Ｏを中心とする真円としている。実際には、領域ＡＡＳ１は、やや歪んだ円形となり、領域ＡＡＳ１の中心は、原点Ｏから若干ずれる。
【０１０２】
本実施形態では、旋回スクロール（50）の寸法偏差（ベクトルＤＯ）とハウジング（60）の寸法偏差（ベクトルＤＨ）が、固定スクロール（40）の寸法偏差（ベクトルＤＦ）によって相殺される。従って、実質的には、後加工工程である固定スクロール加工工程で生じた加工誤差だけが、本実施形態における合計偏差（ベクトルＤＡＳ）の原因となる。
【０１０３】
図１４は、数十組の旋回スクロール（50）と固定スクロール（40）とハウジング（60）について、それぞれの合計偏差（ベクトルＤＡＳ）の分布を、二次元座標に示したものである。図１４において、二次元座標の原点は、旋回側ラップ（52）の中心軸ＣＬＯＷ上の点ＣＰＯＷ（即ち、ベクトルＤＡＳの始点）である。また、この二次元座標上の点は、固定側ラップ（42）の中心軸ＣＬＦＷ上の点ＣＰＦＷ（ベクトルＤＡＳの終点）である。
【０１０４】
図１４の二次元座標において、点ＣＰＦＷ（即ち、ベクトルＤＡＳの終点）は、ｘ座標がｘＡＳｉ（i=1,2,・・・・,n）であり、ｙ座標がｙＡＳｉ（i=1,2,・・・・,n）である。合計偏差（ベクトルＤＡＳ）のｘ方向成分とｙ方向成分は、それぞれの確率分布が図１４に示すような正規分布である。また、合計偏差（ベクトルＤＡＳ）は、ｘ方向成分の分散がＶＡＳｘであり、ｙ方向成分の分散がＶＡＳｙである。
【０１０５】
上述したように、本実施形態における合計偏差（ベクトルＤＡＳ）の原因は、実質的には、後加工工程である固定スクロール加工工程で生じた加工誤差だけである。このため、図１４に示す合計偏差（ベクトルＤＡＳ）のｘ方向成分の分散ＶＡＳｘ及びｙ方向成分の分散ＶＡＳｙは、それぞれ、図１８に示す固定スクロール（40）の寸法偏差（ベクトルＤＦ）のｘ方向成分の分散ＶＦｘ及びｙ方向成分の分散ＶＦｙと概ね一致する。上述したように、図１８は、固定スクロール（40）の寸法偏差ＤＦをゼロにすることを目標とした加工条件で固定側ラップ（42）と位置決め穴（44）を加工した場合の、固定スクロール（40）の寸法偏差（ベクトルＤＦ）の分布を示す。
【０１０６】
ただし、旋回スクロール（50）、固定スクロール（40）、及びハウジング（60）の寸法を計測器で計測する場合、得られた寸法の計測値には、計測器の誤差が含まれる。このため、図１４に示す合計偏差（ベクトルＤＡＳ）の分散ＶＡＳｘ及び分散ＶＡＳｙは、図１８に示す固定スクロール（40）の寸法偏差（ベクトルＤＦ）の分散ＶＦｘ及び分散ＶＦｙと全く同じではない。
【０１０７】
上述したように、本実施形態の固定スクロール加工工程において加工された固定スクロール（40）は、その寸法偏差ＤＦの分散が、旋回スクロール（50）の寸法偏差ＤＯの分散と、ハウジング（60）の寸法偏差ＤＨの分散とを包括する。従って、図１４に示す合計偏差（ベクトルＤＡＳ）のｘ方向成分の分散ＶＡＳｘ及びｙ方向成分の分散ＶＡＳｙは、それぞれ、図１３に示す固定スクロール（40）の寸法偏差（ベクトルＤＦ）のｘ方向成分の分散ＶＦｘ及びｙ方向成分の分散ＶＦｙよりも小さい。
【０１０８】
−実施形態１の効果−
本実施形態の製造方法は、旋回側ラップ（52）とボス部（53）とが形成された旋回スクロール（50）と、旋回スクロール（50）のボス部（53）に連結する回転軸を支持する軸受部（64）が形成されるハウジング（60）と、旋回側ラップ（52）と噛み合う固定側ラップ（42）が形成されたハウジング（60）に固定される固定スクロール（40）とを備え、固定スクロール（40）とハウジング（60）のそれぞれに、ハウジング（60）に対する固定スクロール（40）の固定位置を定めるための位置決め穴（44,67）が複数ずつ形成されたスクロール流体機械を製造する方法である。
【０１０９】
本実施形態の製造方法は、被加工部品である旋回スクロール（50）の旋回側ラップ（52）及びボス部（53）を加工する旋回スクロール加工工程と、被加工部品である固定スクロール（40）の固定側ラップ（42）及び位置決め穴（44）を加工する固定スクロール加工工程と、被加工部品であるハウジング（60）の軸受部（64）及び位置決め穴（67）を加工するハウジング加工工程とを備える。また、本実施形態の製造方法では、旋回スクロール加工工程とハウジング加工工程とが前加工工程であり、固定スクロール加工工程が後加工工程である。
【０１１０】
また、本実施形態の製造方法では、旋回側ラップ（52）の中心軸ＣＬＯＷに対するボス部（53）の中心軸ＣＬＯＢの偏差を旋回スクロール（50）の寸法偏差ＤＯとし、ハウジング（60）の各位置決め穴（67）から最短の等距離に位置する直線をハウジング側中心軸ＣＬＨＰとし、軸受部（64）の中心軸ＣＬＨＢに対するハウジング側中心軸ＣＬＨＰの偏差をハウジング（60）の寸法偏差ＤＨとし、固定スクロール（40）の各位置決め穴（44）から最短の等距離に位置する直線を固定側中心軸ＣＬＦＰとし、固定側中心軸ＣＬＦＰに対する固定側ラップ（42）の中心軸ＣＬＦＷの偏差を固定スクロール（40）の寸法偏差ＤＦとし、旋回スクロール（50）の寸法偏差ＤＯとハウジング（60）の寸法偏差ＤＨと固定スクロール（40）の寸法偏差ＤＦの合計を合計偏差ＤＡＳとする。
【０１１１】
本実施形態の製造方法では、旋回スクロール加工工程およびハウジング加工工程が前加工工程であり、固定スクロール加工工程が後加工工程である。そして、本実施形態の製造方法は、前加工工程の終了後に、前加工工程において加工された旋回スクロール（50）及びハウジング（60）の寸法偏差を計測する計測工程と、計測工程において計測された旋回スクロール（50）及びハウジング（60）の寸法偏差が、後加工工程において加工される固定スクロール（40）の寸法偏差によって相殺されるように、後加工工程において加工される固定スクロール（40）の寸法偏差の目標値を設定する目標設定工程とを更に備え、後加工工程では、固定スクロール（40）の寸法偏差が目標設定工程において設定された目標値となるように、固定スクロール（40）の加工を行う。
【０１１２】
ここで、従来のスクロール圧縮機（10）の製造方法において、旋回スクロール（50）と固定スクロール（40）とハウジング（60）の加工は、それぞれの寸法偏差をゼロにすることを目標とした加工条件で行われていた。量産された多数のスクロール圧縮機（10）のそれぞれについて、旋回スクロール（50）と固定スクロール（40）とハウジング（60）の寸法偏差は、互いに相殺することもあれば、全く相殺しないこともある。
【０１１３】
図１９は、従来の製造方法で製造されたスクロール圧縮機（10）における旋回スクロール（50）の寸法偏差（ベクトルＤＯ）と固定スクロール（40）の寸法偏差（ベクトルＤＦ）とハウジング（60）の寸法偏差（ベクトルＤＨ）を、図１０と同じ二次元座標に表示したものである。ベクトルＤＯとベクトルＤＨとベクトルＤＦの和である合成ベクトルＤＡＳの終点Ｃは、図１９の領域ＡＡＳ５内に位置する。また、図２０は、従来の製造方法で製造されたスクロール圧縮機（10）における合計偏差（合成ベクトルＤＡＳ）の分布を、図１４と同じ二次元座標に示したものである。
【０１１４】
一方、本実施形態の製造方法において、目標設定工程では、旋回スクロール（50）の寸法偏差ＤＯとハウジング（60）の寸法偏差ＤＨとが、固定スクロール（40）の寸法偏差ＤＦによって相殺されるように、固定スクロール（40）の寸法偏差ＤＦの目標値が設定される。また、本実施形態の製造方法において、固定スクロール加工工程では、“固定スクロール（40）の寸法偏差（ベクトルＤＦ）”が“目標設定工程において設定された目標値（目標ベクトルＤＦ’）”となるように、固定スクロール（40）の加工が行われる。
【０１１５】
このため、図１０に示すように、旋回スクロール（50）の寸法偏差ＤＯとハウジング（60）の寸法偏差ＤＨとが、固定スクロール（40）の寸法偏差ＤＦによって相殺される。その結果、ベクトルＤＡＳ（合計偏差）の終点Ｃが存在し得る領域ＡＡＳ１の大きさを、図１９に示す領域ＡＡＳ５に比べて、大幅に縮小することができる。そして、図１４と図２０を比較すれば明らかであるが、本実施形態の製造方法によれば、合計偏差（ベクトルＤＡＳ）のｘ方向成分とｙ方向成分について、それぞれの分散ＶＡＳｘ及びＶＡＳｙを従来よりも大幅に減少させることができる。
【０１１６】
従って、本実施形態の製造方法によれば、旋回スクロール（50）とハウジング（60）と固定スクロール（40）の加工を従来と同程度の加工精度で行いながら、合計偏差ＤＡＳの分散を引き下げることができる。このため、旋回スクロール（50）、ハウジング（60）、及び固定スクロール（40）について、それぞれの寸法の設計値を、加工誤差がゼロである場合の理想の寸法に近づけることができる。その結果、組み立て状態での旋回側ラップ（52）と固定側ラップ（42）の隙間を縮小でき、この隙間を通って圧縮室（31）から漏れ出す流体の量を削減できる。従って、本実施形態によれば、スクロール圧縮機（10）の製造コストの増加を抑えながら、スクロール圧縮機（10）の効率を向上させることができる。
【０１１７】
また、本実施形態の製造方法によって製造されたスクロール圧縮機（10）では、固定スクロール（40）の寸法偏差ＤＦの分散が、旋回スクロール（50）の寸法偏差ＤＯの分散とハウジング（60）の寸法偏差ＤＨの分散とを包括し、且つ合計偏差ＤＡＳの分散が、固定スクロール（40）の寸法偏差ＤＦの分散よりも小さい。
【０１１８】
従来は、合計偏差の分散を固定スクロール（40）の寸法偏差の分散よりも小さくすることができなかった。しかし、本実施形態によれば、旋回スクロール（50）の寸法偏差ＤＯとハウジング（60）の寸法偏差ＤＨとを固定スクロール（40）の寸法偏差ＤＦで相殺することによって、合計偏差ＤＡＳの分散を固定スクロール（40）の寸法偏差ＤＦの分散よりも小さくすることが可能となる。従って、本実施形態によれば、旋回スクロール（50）とハウジング（60）と固定スクロール（40）の加工精度を従来よりも高めること無く、合計偏差ＤＡＳの分散を引き下げることが可能となり、スクロール圧縮機（10）の効率を向上させることが可能となる。
【０１１９】
また、本実施形態の製造方法によって製造されたスクロール圧縮機（10）は、合計偏差ＤＡＳの分散が固定スクロール（40）の寸法偏差ＤＦの分散よりも小さくなるように、固定スクロール（40）の寸法偏差ＤＦの分散が、固定スクロール（40）に形成された複数の位置決め穴（44）同士の間隔ＬＦＰの分散よりも大きくなっている。
【０１２０】
このため、旋回スクロール（50）の寸法偏差ＤＯとハウジング（60）の寸法偏差ＤＨとを固定スクロール（40）の寸法偏差ＤＦで相殺することによって、“合計偏差ＤＡＳの分散”を“固定スクロール（40）の寸法偏差ＤＦの分散”よりも小さくすることが可能となる。従って、本実施形態によれば、旋回スクロール（50）とハウジング（60）と固定スクロール（40）の加工精度を従来よりも高めること無く、合計偏差ＤＡＳの分散を引き下げることが可能となり、スクロール圧縮機（10）の効率を向上させることが可能となる。
【０１２１】
なお、旋回スクロール（50）、ハウジング（60）、及び固定スクロール（40）の寸法偏差の分散は、概ね３０個ずつの旋回スクロール（50）、ハウジング（60）、及び固定スクロール（40）について寸法の計測を行えば、算出できる。
【０１２２】
《実施形態２》
実施形態２のスクロール圧縮機（10）と、その製造方法について説明する。ここでは、本実施形態のスクロール圧縮機（10）とその製造方法のそれぞれについて、実施形態１と異なる点を説明する。
【０１２３】
−スクロール圧縮機の製造方法−
本実施形態のスクロール圧縮機（10）の製造方法では、旋回スクロール加工工程および固定スクロール加工工程が前加工工程となり、ハウジング加工工程が後加工工程となる。前加工工程である旋回スクロール加工工程と固定スクロール加工工程は、一方が他方の後に行われてもよいし、両方が同時に並行して行われてもよい。また、本実施形態のスクロール圧縮機（10）では、後加工工程において加工されるハウジング（60）が第１部品となり、前加工工程において加工される旋回スクロール（50）及び固定スクロール（40）が第２部品となる。
【０１２４】
〈旋回スクロール加工工程〉
本実施形態の旋回スクロール加工工程は、実施形態１の旋回スクロール加工工程と同じである。つまり、本実施形態の旋回スクロール加工工程では、旋回側ラップ（52）の中心軸ＣＬＯＷとボス部（53）の中心軸ＣＬＯＢを一致させることを目標とした加工条件（即ち、旋回スクロール（50）の寸法偏差ＤＯの目標値をゼロとした加工条件）で、旋回側ラップ（52）及びボス部（53）の加工が行われる。
【０１２５】
〈固定スクロール加工工程〉
本実施形態の固定スクロール加工工程は、加工条件が実施形態１の固定スクロール加工工程と異なる。本実施形態の固定スクロール加工工程では、固定側中心軸ＣＬＦＰと固定側ラップ（42）の中心軸ＣＬＦＷを一致させることを目標とした加工条件（即ち、固定スクロール（40）の寸法偏差ＤＦの目標値をゼロとした加工条件）で、固定側ラップ（42）及び位置決め穴（44）の加工が行われる。
【０１２６】
〈計測工程〉
計測工程では、旋回スクロール加工工程において加工された旋回スクロール（50）と、固定スクロール加工工程において加工された固定スクロール（40）のそれぞれについて、寸法の計測が行われる。そして、計測工程では、旋回スクロール（50）の寸法偏差ＤＯと、固定スクロール（40）の寸法偏差ＤＦとが算出される。
【０１２７】
旋回スクロール（50）の寸法偏差ＤＯを算出する工程は、実施形態１と同じである。つまり、計測工程では、旋回側ラップ（52）の中心点ＣＰＯＷの位置と、ボス部（53）の中心軸ＣＬＯＢ上の点ＣＰＯＢの位置とが算出され、それらの位置に基づいて旋回スクロール（50）の寸法偏差であるベクトルＤＯが特定される。
【０１２８】
計測工程では、固定スクロール（40）の寸法の計測値に基づいて、固定側ラップ（42）の中心点ＣＰＦＷの位置と、固定側中心軸ＣＬＦＰ上の点ＣＰＦＰの位置とが算出される（図４及び図５を参照）。上述したように、固定スクロール（40）の寸法偏差ＤＦは、点ＣＰＦＰを始点として点ＣＰＦＷを終点とするベクトルである。計測工程では、算出された点ＣＰＦＷ及び点ＣＰＦＰの位置に基づいて、固定スクロール（40）の寸法偏差であるベクトルＤＦが特定される。
【０１２９】
〈目標設定工程〉
目標設定工程では、後加工工程であるハウジング加工工程において加工されるハウジング（60）の寸法偏差ＤＨの目標値が設定される。ここでは、本実施形態の目標設定工程について、図１５を参照しながら説明する。
【０１３０】
図１５は、実施形態１に関する図１０に相当する図である。この図１５は、旋回側ラップ（52）の中心点ＣＰＯＷを原点Ｏとする二次元座標を示す。この二次元座標において、計測工程で得られた旋回スクロール（50）の寸法偏差をベクトルＤＯ＝（ｘＯ,ｙＯ）とし、計測工程で得られた固定スクロール（40）の寸法偏差をベクトルＤＦ＝（ｘＦ,ｙＦ）とする。
【０１３１】
本実施形態の目標設定工程では、ハウジング（60）の寸法偏差ＤＨの目標値である目標ベクトルＤＨ’が、計測工程において算出された旋回スクロール（50）の寸法偏差ＤＯと固定スクロール（40）の寸法偏差ＤＦとを相殺するように設定される。具体的に、目標設定工程では、目標ベクトルＤＨ’ ＝（ｘＨ’,ｙＨ’）が、ベクトルＤＯ（旋回スクロール（50）の寸法偏差）とベクトルＤＦ（固定スクロール（40）の寸法偏差）の和（ベクトルＤＯ＋ベクトルＤＦ＝（ｘＯ＋ｘＦ,ｙＯ＋ｙＦ））の逆ベクトルに設定される。つまり、目標ベクトルＤＨ’は、 ＤＨ’＝（ｘＨ’,ｙＨ’）＝（−(ｘＯ＋ｘＦ),−(ｙＯ＋ｙＦ)）となる。
【０１３２】
〈ハウジング加工工程〉
本実施形態のハウジング加工工程は、加工条件が実施形態１のハウジング加工工程と異なる。本実施形態のハウジング加工工程では、ハウジング（60）の寸法偏差であるベクトルＤＨが目標ベクトルＤＨ’となるような加工条件で、軸受部（64）及び位置決め穴（67）の加工が行われる。
【０１３３】
−圧縮機構の寸法偏差−
本実施形態の製造方法によって製造されたスクロール圧縮機（10）について、旋回スクロール（50）と固定スクロール（40）とハウジング（60）のそれぞれの寸法偏差と、それらの合計である合計偏差について説明する。なお、旋回スクロール（50）の寸法偏差は、実施形態１と同じであるので、その説明を省略する。
【０１３４】
〈固定スクロールの寸法偏差〉
本実施形態の固定スクロール加工工程では、固定スクロール（40）の寸法偏差ＤＦをゼロにすることを目標とした加工条件で、固定スクロール（40）の加工が行われる。従って、本実施形態の固定スクロール加工工程において加工された固定スクロール（40）の寸法偏差は、実施形態１において説明した“一般的な固定スクロール加工工程において加工された固定スクロール（40）の寸法偏差”と同じである。つまり、本実施形態の固定スクロール（40）の寸法偏差（ベクトルＤＦ）のｘ方向成分の分散ＶＦｘ及びｙ方向成分の分散ＶＦｙは、それぞれ、旋回スクロール（50）の寸法偏差（ベクトルＤＯ）の分散ＶＯｘ及び分散ＶＯｙよりも小さくなる。
【０１３５】
〈ハウジングの寸法偏差〉
上述したように、ハウジング加工工程では、ハウジング（60）の寸法偏差を目標ベクトルＤＨ’に一致させることを目標とした加工条件で、軸受部（64）と位置決め穴（67）の加工が行われる。
【０１３６】
目標ベクトルＤＨ’は、旋回スクロール（50）の寸法偏差ＤＯと固定スクロール（40）の寸法偏差ＤＦとを相殺するように設定される。従って、この目標ベクトルＤＨ’には、旋回スクロール加工工程で生じた加工誤差と、固定スクロール加工工程で生じた加工誤差とが含まれる。更に、ハウジング加工工程においても、加工誤差が生じる。このため、ハウジング加工工程において加工されたハウジング（60）の寸法偏差（ベクトルＤＨ）は、通常は目標ベクトルＤＨ’と一致しない。
【０１３７】
ハウジング加工工程において加工されたハウジング（60）の寸法偏差（ベクトルＤＨ）には、目標ベクトルＤＨ’に含まれる旋回スクロール加工工程およびハウジング（60）固定スクロール加工工程の加工誤差と、固定スクロール加工工程の加工誤差とが含まれる。
【０１３８】
このため、ハウジング（60）の寸法偏差（ベクトルＤＨ）のｘ方向成分の分散ＶＨｘは、旋回スクロール（50）の寸法偏差（ベクトルＤＯ）のｘ方向成分の分散ＶＯｘと、固定スクロール（40）の寸法偏差（ベクトルＤＦ）のｘ方向成分の分散ＶＦｘとを包括する。具体的には、分散ＶＨｘが分散ＶＯｘと分散ＶＦｘの和以上となる（ＶＨｘ≧ＶＯｘ＋ＶＦｘ）。
【０１３９】
また、ハウジング（60）の寸法偏差（ベクトルＤＨ）のｙ方向成分の分散ＶＨｙは、旋回スクロール（50）の寸法偏差（ベクトルＤＯ）のｙ方向成分の分散ＶＯｙと、固定スクロール（40）の寸法偏差（ベクトルＤＦ）のｙ方向成分の分散ＶＦｙとを包括する。具体的には、分散ＶＨｙが分散ＶＯｙと分散ＶＦｙの和以上となる（ＶＨｙ≧ＶＯｙ＋ＶＦｙ）。
【０１４０】
また、本実施形態のハウジング加工工程において加工されたハウジング（60）は、ハウジング（60）の寸法偏差（ベクトルＤＨ）のｘ方向成分の分散ＶＨｘ及びｙ方向成分の分散ＶＨｙのそれぞれが、二つの位置決め穴（67）同士の間隔ＬＨＰの分散よりも大きい。位置決め穴（67）同士の間隔ＬＨＰは、各位置決め穴（67）の中心軸ＣＡＨＰ同士の距離である（図７を参照）。
【０１４１】
〈合計偏差〉
旋回スクロール（50）の寸法偏差（ベクトルＤＯ）とハウジング（60）の寸法偏差（ベクトルＤＨ）と固定スクロール（40）の寸法偏差（ベクトルＤＦ）の合計である合計偏差ＤＡＳは、ベクトルＤＯとベクトルＤＨとベクトルＤＦの和である。ベクトルＤＯとベクトルＤＨとベクトルＤＦの和である合成ベクトルＤＡＳの終点は、点Ｂを始点とするベクトルＤＦの終点Ｃである（図１５を参照）。
【０１４２】
図１５に示すように、ハウジング（60）の寸法偏差（ベクトルＤＨ）が目標ベクトルＤＨ’と一致する場合は、合計偏差がゼロ（ゼロベクトル）となる。しかし、後加工工程であるハウジング加工工程においても、加工誤差は生じる。このため、殆どの場合、ハウジング（60）の寸法偏差（ベクトルＤＨ）は目標ベクトルＤＨ’と異なり、従って、合計偏差はゼロにならない。
【０１４３】
本実施形態のハウジング加工工程で生じる加工誤差は、ハウジング（60）の寸法偏差ＤＨをゼロにすることを目標とした加工条件でハウジング（60）を加工した場合に生じる加工誤差と実質的に同じである。ハウジング（60）の寸法偏差であるベクトルＤＨの終点Ｂは、図１５の領域ＡＨ内に位置する。このため、ベクトルＤＯとベクトルＤＨとベクトルＤＦの和である合成ベクトルＤＡＳの終点Ｃは、図１５の領域ＡＡＳ２内に位置する。
【０１４４】
なお、図１５では、領域ＡＡＳ２を、模式的に原点Ｏを中心とする真円としている。通常、実際の領域ＡＡＳ２は、やや歪んだ円形となり、実際の領域ＡＡＳ２の中心は、原点Ｏから若干ずれる。
【０１４５】
上述したように、本実施形態のハウジング加工工程において加工されたハウジング（60）は、その寸法偏差ＤＨの分散が、旋回スクロール（50）の寸法偏差ＤＯの分散と、固定スクロール（40）の寸法偏差ＤＦの分散とを包括する。従って、合計偏差（ベクトルＤＡＳ）のｘ方向成分の分散ＶＡＳｘ及びｙ方向成分の分散ＶＡＳｙは、それぞれ、ハウジング（60）の寸法偏差（ベクトルＤＨ）のｘ方向成分の分散ＶＨｘ及びｙ方向成分の分散ＶＨｙよりも小さい。
【０１４６】
−実施形態２の効果−
本実施形態の製造方法では、旋回スクロール加工工程および固定スクロール加工工程が前加工工程であり、ハウジング加工工程が後加工工程である。そして、本実施形態の製造方法は、前加工工程の終了後に、前加工工程において加工された旋回スクロール（50）及び固定スクロール（40）の寸法偏差を計測する計測工程と、計測工程において計測された旋回スクロール（50）及び固定スクロール（40）の寸法偏差が、後加工工程において加工されるハウジング（60）の寸法偏差によって相殺されるように、後加工工程において加工されるハウジング（60）の寸法偏差の目標値を設定する目標設定工程とを更に備え、後加工工程では、ハウジング（60）の寸法偏差が目標設定工程において設定された目標値となるように、ハウジング（60）の加工を行う。
【０１４７】
本実施形態の製造方法によれば、実施形態１の製造方法と同様に、旋回スクロール（50）とハウジング（60）と固定スクロール（40）の加工を従来と同程度の加工精度で行いながら、合計偏差ＤＡＳの分散を引き下げることができる。従って、本実施形態によれば、実施形態１と同様に、スクロール圧縮機（10）の製造コストの増加を抑えながら、スクロール圧縮機（10）の効率を向上させることができる。
【０１４８】
また、本実施形態の製造方法によって製造されたスクロール圧縮機（10）では、ハウジング（60）の寸法偏差ＤＨの分散が、旋回スクロール（50）の寸法偏差ＤＯの分散と固定スクロール（40）の寸法偏差ＤＦの分散とを包括し、且つ合計偏差ＤＡＳの分散がハウジング（60）の寸法偏差ＤＨの分散よりも小さい。
【０１４９】
従来は、合計偏差の分散をハウジング（60）の寸法偏差の分散よりも小さくすることができなかった。しかし、本実施形態によれば、旋回スクロール（50）の寸法偏差ＤＯと固定スクロール（40）の寸法偏差ＤＦとをハウジング（60）の寸法偏差ＤＨで相殺することによって、合計偏差ＤＡＳの分散をハウジング（60）の寸法偏差ＤＨの分散よりも小さくすることが可能となる。従って、本実施形態によれば、旋回スクロール（50）とハウジング（60）と固定スクロール（40）の加工精度を従来よりも高めること無く、合計偏差ＤＡＳの分散を引き下げることが可能となり、スクロール圧縮機（10）の効率を向上させることが可能となる。
【０１５０】
また、本実施形態の製造方法によって製造されたスクロール圧縮機（10）は、合計偏差ＤＡＳの分散がハウジング（60）の寸法偏差ＤＨの分散よりも小さくなるように、ハウジング（60）の寸法偏差ＤＨの分散が、ハウジング（60）に形成された複数の位置決め穴（67）同士の間隔ＬＨＰの分散よりも大きくなっている。
【０１５１】
このため、旋回スクロール（50）の寸法偏差ＤＯと固定スクロール（40）の寸法偏差ＤＦとをハウジング（60）の寸法偏差ＤＨで相殺することによって、“合計偏差ＤＡＳの分散”を“ハウジング（60）の寸法偏差ＤＨの分散”よりも小さくすることが可能となる。従って、本実施形態によれば、旋回スクロール（50）とハウジング（60）と固定スクロール（40）の加工精度を従来よりも高めること無く、合計偏差ＤＡＳの分散を引き下げることが可能となり、スクロール圧縮機（10）の効率を向上させることが可能となる。
【０１５２】
《実施形態３》
実施形態３のスクロール圧縮機（10）と、その製造方法について説明する。ここでは、本実施形態のスクロール圧縮機（10）とその製造方法のそれぞれについて、実施形態１と異なる点を説明する。
【０１５３】
−スクロール圧縮機の製造方法−
本実施形態のスクロール圧縮機（10）の製造方法では、旋回スクロール加工工程が前加工工程となり、固定スクロール加工工程が後加工工程となる。ハウジング加工工程は、圧縮機構（30）を組み立てる工程よりも前であれば、いつ行われてもよい。また、本実施形態のスクロール圧縮機（10）では、後加工工程において加工される固定スクロール（40）が第１部品となり、前加工工程において加工される旋回スクロール（50）が第２部品となる。
【０１５４】
〈旋回スクロール加工工程〉
本実施形態の旋回スクロール加工工程は、実施形態１の旋回スクロール加工工程と同じである。つまり、本実施形態の旋回スクロール加工工程では、旋回側ラップ（52）の中心軸ＣＬＯＷとボス部（53）の中心軸ＣＬＯＢを一致させることを目標とした加工条件（即ち、旋回スクロール（50）の寸法偏差ＤＯの目標値をゼロとした加工条件）で、旋回側ラップ（52）及びボス部（53）の加工が行われる。
【０１５５】
〈計測工程〉
計測工程では、旋回スクロール加工工程において加工された旋回スクロール（50）について、寸法の計測が行われ、旋回スクロール（50）の寸法偏差ＤＯが算出される。
【０１５６】
旋回スクロール（50）の寸法偏差ＤＯを算出する工程は、実施形態１と同じである。つまり、計測工程では、旋回側ラップ（52）の中心点ＣＰＯＷの位置と、ボス部（53）の中心軸ＣＬＯＢ上の点ＣＰＯＢの位置とが算出され、それらの位置に基づいて旋回スクロール（50）の寸法偏差であるベクトルＤＯが特定される。
【０１５７】
〈目標設定工程〉
目標設定工程では、後加工工程である固定スクロール加工工程において加工される固定スクロール（40）の寸法偏差ＤＦの目標値が設定される。ここでは、本実施形態の目標設定工程について、図１６を参照しながら説明する。
【０１５８】
図１６は、実施形態１に関する図１０に相当する図である。この図１６は、旋回側ラップ（52）の中心点ＣＰＯＷを原点Ｏとする二次元座標を示す。この二次元座標において、計測工程で得られた旋回スクロール（50）の寸法偏差をベクトルＤＯ＝（ｘＯ,ｙＯ）とする。また、この二次元座標において、ハウジング（60）の寸法偏差をベクトルＤＨ＝（ｘＨ,ｙＨ）とする。
【０１５９】
本実施形態の目標設定工程では、固定スクロール（40）の寸法偏差ＤＦの目標値である目標ベクトルＤＦ’が、計測工程において算出された旋回スクロール（50）の寸法偏差ＤＯを相殺するように設定される。具体的に、目標設定工程では、目標ベクトルＤＦ’＝（ｘＦ’,ｙＦ’）が、ベクトルＤＯ（旋回スクロール（50）の寸法偏差）の逆ベクトルに設定される。つまり、目標ベクトルＤＦ’は、 ＤＦ’＝（ｘＦ’,ｙＦ’）＝（−ｘＯ,−ｙＯ）となる。
【０１６０】
〈固定スクロール加工工程〉
本実施形態の固定スクロール加工工程では、実施形態１と同様に、固定スクロール（40）の寸法偏差であるベクトルＤＦが目標ベクトルＤＦ’となるような加工条件で、固定側ラップ（42）と位置決め穴（44）の加工が行われる。
【０１６１】
〈ハウジング加工工程〉
本実施形態のハウジング加工工程は、実施形態１のハウジング加工工程と同じである。つまり、本実施形態のハウジング加工工程では、軸受部（64）の中心軸ＣＬＨＢとハウジング側中心軸ＣＬＨＰを一致させることを目標とした加工条件（即ち、ハウジング（60）の寸法偏差ＤＨの目標値をゼロとした加工条件）で、軸受部（64）及び位置決め穴（67）の加工が行われる。
【０１６２】
−圧縮機構の寸法偏差−
本実施形態の製造方法によって製造されたスクロール圧縮機（10）について、旋回スクロール（50）と固定スクロール（40）とハウジング（60）のそれぞれの寸法偏差と、それらの合計である合計偏差について説明する。なお、旋回スクロール（50）の寸法偏差とハウジング（60）の寸法偏差とは、実施形態１と同じであるので、その説明を省略する。
【０１６３】
〈固定スクロールの寸法偏差〉
上述したように、固定スクロール加工工程では、固定スクロール（40）の寸法偏差を目標ベクトルＤＦ’に一致させることを目標とした加工条件で、固定側ラップ（42）と位置決め穴（44）の加工が行われる。
【０１６４】
目標ベクトルＤＦ’は、旋回スクロール（50）の寸法偏差ＤＯを相殺するように設定される。従って、この目標ベクトルＤＦ’には、旋回スクロール加工工程で生じた加工誤差が含まれる。更に、固定スクロール加工工程においても、加工誤差が生じる。このため、固定スクロール加工工程において加工された固定スクロール（40）の寸法偏差（ベクトルＤＦ）は、通常は目標ベクトルＤＦ’と一致しない。
【０１６５】
固定スクロール加工工程において加工された固定スクロール（40）の寸法偏差（ベクトルＤＦ）には、目標ベクトルＤＦ’に含まれる旋回スクロール加工工程の加工誤差と、固定スクロール加工工程の加工誤差とが含まれる。
【０１６６】
このため、固定スクロール（40）の寸法偏差（ベクトルＤＦ）のｘ方向成分の分散ＶＦｘは、旋回スクロール（50）の寸法偏差（ベクトルＤＯ）のｘ方向成分の分散ＶＯｘを包括する。具体的には、分散ＶＦｘが分散ＶＯｘ以上となる（ＶＦｘ≧ＶＯｘ）。
【０１６７】
また、固定スクロール（40）の寸法偏差（ベクトルＤＦ）のｙ方向成分の分散ＶＦｙは、旋回スクロール（50）の寸法偏差（ベクトルＤＯ）のｙ方向成分の分散ＶＯｙを包括する。具体的には、分散ＶＦｙが分散ＶＯｙ以上となる（ＶＦｙ≧ＶＯｙ）。
【０１６８】
また、本実施形態の固定スクロール加工工程において加工された固定スクロール（40）は、実施形態１と同様に、固定スクロール（40）の寸法偏差（ベクトルＤＦ）のｘ方向成分の分散ＶＦｘ及びｙ方向成分の分散ＶＦｙのそれぞれが、二つの位置決め穴（44）同士の間隔ＬＦＰの分散よりも大きい。
【０１６９】
〈合計偏差〉
旋回スクロール（50）の寸法偏差（ベクトルＤＯ）とハウジング（60）の寸法偏差（ベクトルＤＨ）と固定スクロール（40）の寸法偏差（ベクトルＤＦ）の合計である合計偏差ＤＡＳは、ベクトルＤＯとベクトルＤＨとベクトルＤＦの和である。ベクトルＤＯとベクトルＤＨとベクトルＤＦの和である合成ベクトルＤＡＳの終点は、点Ｂを始点とするベクトルＤＦの終点Ｃである（図１６を参照）。
【０１７０】
図１６に示すように、固定スクロール（40）の寸法偏差（ベクトルＤＦ）が目標ベクトルＤＦ’と一致する場合は、合計偏差ＤＡＳがハウジング（60）の寸法偏差（ベクトルＤＨ）と等しくなる。このため、固定スクロール（40）の寸法偏差（ベクトルＤＦ）が目標ベクトルＤＦ’と一致する場合、合成ベクトルＤＡＳの終点Ｃは、図１６の領域ＡＨ内に位置する。この領域ＡＨは、“ベクトルＤＨ（ハウジング（60）の寸法偏差）と等しく且つ原点Ｏを始点とするベクトル”の終点が存在し得る領域である。また、後加工工程である固定スクロール加工工程においても、加工誤差は生じる。この加工誤差は、図１６の領域ＡＦである。このため、ベクトルＤＯとベクトルＤＨとベクトルＤＦの和である合成ベクトルＤＡＳの終点Ｃは、図１６の領域ＡＡＳ３（即ち、領域ＡＨと領域ＡＦを含む領域）内に位置する。
【０１７１】
なお、図１６では、領域ＡＡＳ３を、模式的に原点Ｏを中心とする真円としている。通常、実際の領域ＡＡＳ３は、やや歪んだ円形となり、実際の領域ＡＡＳ３の中心は、原点Ｏから若干ずれる。
【０１７２】
上述したように、本実施形態の固定スクロール加工工程において加工された固定スクロール（40）は、その寸法偏差ＤＦの分散が、旋回スクロール（50）の寸法偏差ＤＯの分散を包括する。従って、合計偏差（ベクトルＤＡＳ）のｘ方向成分の分散ＶＡＳｘ及びｙ方向成分の分散ＶＡＳｙは、それぞれ、固定スクロール（40）の寸法偏差（ベクトルＤＦ）のｘ方向成分の分散ＶＦｘ及びｙ方向成分の分散ＶＦｙよりも小さい。
【０１７３】
−実施形態３の効果−
本実施形態の製造方法では、旋回スクロール加工工程が前加工工程であり、固定スクロール加工工程が後加工工程である。そして、本実施形態の製造方法は、前加工工程の終了後に、前加工工程において加工された旋回スクロール（50）の寸法偏差を計測する計測工程と、計測工程において計測された旋回スクロール（50）の寸法偏差が、後加工工程において加工される固定スクロール（40）の寸法偏差によって相殺されるように、後加工工程において加工される固定スクロール（40）の寸法偏差の目標値を設定する目標設定工程とを更に備え、後加工工程では、固定スクロール（40）の寸法偏差が目標設定工程において設定された目標値となるように、固定スクロール（40）の加工を行う。
【０１７４】
本実施形態の製造方法によれば、実施形態１の製造方法と同様に、旋回スクロール（50）とハウジング（60）と固定スクロール（40）の加工を従来と同程度の加工精度で行いながら、合計偏差ＤＡＳの分散を引き下げることができる。従って、本実施形態によれば、実施形態１と同様に、スクロール圧縮機（10）の製造コストの増加を抑えながら、スクロール圧縮機（10）の効率を向上させることができる。
【０１７５】
また、本実施形態の製造方法によって製造されたスクロール圧縮機（10）では、固定スクロール（40）の寸法偏差ＤＦの分散が、旋回スクロール（50）の寸法偏差ＤＯの分散を包括し、且つ合計偏差ＤＡＳの分散が、固定スクロール（40）の寸法偏差ＤＦの分散よりも小さい。
【０１７６】
従来は、合計偏差の分散を固定スクロール（40）の寸法偏差の分散よりも小さくすることができなかった。しかし、本実施形態によれば、旋回スクロール（50）の寸法偏差ＤＯを固定スクロール（40）の寸法偏差ＤＦで相殺することによって、合計偏差ＤＡＳの分散を固定スクロール（40）の寸法偏差ＤＦよりも小さくすることが可能となる。従って、本実施形態によれば、旋回スクロール（50）とハウジング（60）と固定スクロール（40）の加工精度を従来よりも高めること無く、合計偏差ＤＡＳの分散を引き下げることが可能となり、スクロール圧縮機（10）の効率を向上させることが可能となる。
【０１７７】
また、本実施形態の製造方法によって製造されたスクロール圧縮機（10）は、合計偏差ＤＡＳの分散が固定スクロール（40）の寸法偏差ＤＦの分散よりも小さくなるように、固定スクロール（40）の寸法偏差ＤＦの分散が、固定スクロール（40）に形成された複数の位置決め穴（44）同士の間隔ＬＦＰの分散よりも大きくなっている。
【０１７８】
このため、旋回スクロール（50）の寸法偏差ＤＯを固定スクロール（40）の寸法偏差ＤＦで相殺することによって、“合計偏差ＤＡＳの分散”を“固定スクロール（40）の寸法偏差ＤＦの分散”よりも小さくすることが可能となる。従って、本実施形態によれば、旋回スクロール（50）とハウジング（60）と固定スクロール（40）の加工精度を従来よりも高めること無く、合計偏差ＤＡＳの分散を引き下げることが可能となり、スクロール圧縮機（10）の効率を向上させることが可能となる。
【０１７９】
《実施形態４》
実施形態４のスクロール圧縮機（10）と、その製造方法について説明する。ここでは、本実施形態のスクロール圧縮機（10）とその製造方法のそれぞれについて、実施形態１と異なる点を説明する。
【０１８０】
−スクロール圧縮機の製造方法−
本実施形態のスクロール圧縮機（10）の製造方法では、旋回スクロール加工工程が前加工工程となり、ハウジング加工工程が後加工工程となる。固定スクロール加工工程は、圧縮機構（30）を組み立てる工程よりも前であれば、いつ行われてもよい。また、本実施形態のスクロール圧縮機（10）では、後加工工程において加工されるハウジング（60）が第１部品となり、前加工工程において加工される旋回スクロール（50）が第２部品となる。
【０１８１】
〈旋回スクロール加工工程〉
本実施形態の旋回スクロール加工工程は、実施形態１の旋回スクロール加工工程と同じである。つまり、本実施形態の旋回スクロール加工工程では、旋回側ラップ（52）の中心軸ＣＬＯＷとボス部（53）の中心軸ＣＬＯＢを一致させることを目標とした加工条件（即ち、旋回スクロール（50）の寸法偏差ＤＯの目標値をゼロとした加工条件）で、旋回側ラップ（52）及びボス部（53）の加工が行われる。
【０１８２】
〈計測工程〉
計測工程では、旋回スクロール加工工程において加工された旋回スクロール（50）について、寸法の計測が行われ、旋回スクロール（50）の寸法偏差ＤＯが算出される。
【０１８３】
旋回スクロール（50）の寸法偏差ＤＯを算出する工程は、実施形態１と同じである。つまり、計測工程では、旋回側ラップ（52）の中心点ＣＰＯＷの位置と、ボス部（53）の中心軸ＣＬＯＢ上の点ＣＰＯＢの位置とが算出され、それらの位置に基づいて旋回スクロール（50）の寸法偏差であるベクトルＤＯが特定される。
【０１８４】
〈目標設定工程〉
目標設定工程では、後加工工程であるハウジング加工工程において加工されるハウジング（60）の寸法偏差ＤＨの目標値が設定される。ここでは、本実施形態の目標設定工程について、図１７を参照しながら説明する。
【０１８５】
図１７は、実施形態１に関する図１０に相当する図である。この図１７は、旋回側ラップ（52）の中心点ＣＰＯＷを原点Ｏとする二次元座標を示す。この二次元座標において、計測工程で得られた旋回スクロール（50）の寸法偏差をベクトルＤＯ＝（ｘＯ,ｙＯ）とする。また、この二次元座標において、固定スクロール（40）の寸法偏差をベクトルＤＦ＝（ｘＦ,ｙＦ）とする。
【０１８６】
本実施形態の目標設定工程では、ハウジング（60）の寸法偏差ＤＨの目標値である目標ベクトルＤＨ’が、計測工程において算出された旋回スクロール（50）の寸法偏差ＤＯを相殺するように設定される。具体的に、目標設定工程では、目標ベクトルＤＨ’＝（ｘＨ’,ｙＨ’）が、ベクトルＤＯ（旋回スクロール（50）の寸法偏差）の逆ベクトルに設定される。つまり、目標ベクトルＤＨ’は、 ＤＨ’＝（ｘＨ’,ｙＨ’）＝（−ｘＯ,−ｙＯ）となる。
【０１８７】
〈ハウジング加工工程〉
本実施形態のハウジング加工工程は、加工条件が実施形態１のハウジング加工工程と異なる。本実施形態のハウジング加工工程では、ハウジング（60）の寸法偏差であるベクトルＤＨが目標ベクトルＤＨ’となるような加工条件で、軸受部（64）及び位置決め穴（67）の加工が行われる。
【０１８８】
〈固定スクロール加工工程〉
本実施形態の固定スクロール加工工程は、実施形態２のハウジング加工工程と同じである。つまり、本実施形態の固定スクロール加工工程では、固定側中心軸ＣＬＦＰと固定側ラップ（42）の中心軸ＣＬＦＷを一致させることを目標とした加工条件（即ち、固定スクロール（40）の寸法偏差ＤＦの目標値をゼロとした加工条件）で、固定側ラップ（42）及び位置決め穴（44）の加工が行われる。
【０１８９】
−圧縮機構の寸法偏差−
本実施形態の製造方法によって製造されたスクロール圧縮機（10）について、旋回スクロール（50）と固定スクロール（40）とハウジング（60）のそれぞれの寸法偏差と、それらの合計である合計偏差について説明する。なお、旋回スクロール（50）の寸法偏差は、実施形態１と同じであるので、その説明を省略する。また、固定スクロール（40）の寸法偏差は、実施形態２と同じであるので、その説明を省略する。
【０１９０】
〈ハウジングの寸法偏差〉
上述したように、ハウジング加工工程では、ハウジング（60）の寸法偏差を目標ベクトルＤＨ’に一致させることを目標とした加工条件で、軸受部（64）及び位置決め穴（67）の加工が行われる。
【０１９１】
目標ベクトルＤＨ’は、旋回スクロール（50）の寸法偏差ＤＯを相殺するように設定される。従って、この目標ベクトルＤＨ’には、旋回スクロール加工工程で生じた加工誤差が含まれる。更に、ハウジング加工工程においても、加工誤差が生じる。このため、ハウジング加工工程において加工されたハウジング（60）の寸法偏差（ベクトルＤＨ）は、通常は目標ベクトルＤＨ’と一致しない。
【０１９２】
ハウジング加工工程において加工されたハウジング（60）の寸法偏差（ベクトルＤＨ）には、目標ベクトルＤＨ’に含まれる旋回スクロール加工工程の加工誤差と、ハウジング加工工程の加工誤差とが含まれる。
【０１９３】
このため、ハウジング（60）の寸法偏差（ベクトルＤＨ）のｘ方向成分の分散ＶＨｘは、旋回スクロール（50）の寸法偏差（ベクトルＤＯ）のｘ方向成分の分散ＶＯｘを包括する。具体的には、分散ＶＨｘが分散ＶＯｘ以上となる（ＶＨｘ≧ＶＯｘ）。
【０１９４】
また、ハウジング（60）の寸法偏差（ベクトルＤＨ）のｙ方向成分の分散ＶＨｙは、旋回スクロール（50）の寸法偏差（ベクトルＤＯ）のｙ方向成分の分散ＶＯｙを包括する。具体的には、分散ＶＨｙが分散ＶＯｙ以上となる（ＶＨｙ≧ＶＯｙ）。
【０１９５】
また、本実施形態のハウジング加工工程において加工されたハウジング（60）は、実施形態２と同様に、ハウジング（60）の寸法偏差（ベクトルＤＨ）のｘ方向成分の分散ＶＨｘ及びｙ方向成分の分散ＶＨｙのそれぞれが、二つの位置決め穴（67）同士の間隔ＬＨＰの分散よりも大きい。
【０１９６】
〈合計偏差〉
旋回スクロール（50）の寸法偏差（ベクトルＤＯ）とハウジング（60）の寸法偏差（ベクトルＤＨ）と固定スクロール（40）の寸法偏差（ベクトルＤＦ）の合計である合計偏差ＤＡＳは、ベクトルＤＯとベクトルＤＨとベクトルＤＦの和である。ベクトルＤＯとベクトルＤＨとベクトルＤＦの和である合成ベクトルＤＡＳの終点は、点Ｂを始点とするベクトルＤＦの終点Ｃである（図１７を参照）。
【０１９７】
図１７に示すように、ハウジング（60）の寸法偏差（ベクトルＤＨ）が目標ベクトルＤＨ’と一致する場合は、合計偏差ＤＡＳが固定スクロール（40）の寸法偏差（ベクトルＤＦ）と等しくなる。このため、ハウジング（60）の寸法偏差（ベクトルＤＨ）が目標ベクトルＤＨ’と一致する場合、合成ベクトルＤＡＳの終点Ｃは、図１７の領域ＡＦ内に位置する。この領域ＡＦは、ベクトルＤＦ（固定スクロール（40）の寸法偏差）の終点が存在し得る領域（即ち、固定スクロール加工工程で生じる加工誤差を示す領域）である。また、後加工工程であるハウジング加工工程においても、加工誤差は生じる。この加工誤差は、図１７の領域ＡＨである。このため、ベクトルＤＯとベクトルＤＨとベクトルＤＦの和である合成ベクトルＤＡＳの終点Ｃは、図１７の領域ＡＡＳ４（即ち、領域ＡＨと領域ＡＦを含む領域）内に位置する。
【０１９８】
なお、図１７では、領域ＡＡＳ４を、模式的に原点Ｏを中心とする真円としている。通常、実際の領域ＡＡＳ４は、やや歪んだ円形となり、実際の領域ＡＡＳ４の中心は、原点Ｏから若干ずれる。
【０１９９】
上述したように、本実施形態のハウジング加工工程において加工されたハウジング（60）は、その寸法偏差ＤＨの分散が、旋回スクロール（50）の寸法偏差ＤＯの分散を包括する。従って、合計偏差（ベクトルＤＡＳ）のｘ方向成分の分散ＶＡＳｘ及びｙ方向成分の分散ＶＡＳｙは、それぞれ、ハウジング（60）の寸法偏差（ベクトルＤＨ）のｘ方向成分の分散ＶＨｘ及びｙ方向成分の分散ＶＨｙよりも小さい。
【０２００】
−実施形態４の効果−
本実施形態の製造方法では、旋回スクロール加工工程が前加工工程であり、ハウジング加工工程が後加工工程である。そして、本実施形態の製造方法は、前加工工程の終了後に、前加工工程において加工された旋回スクロール（50）の寸法偏差を計測する計測工程と、計測工程において計測された旋回スクロール（50）の寸法偏差が、後加工工程において加工されるハウジング（60）の寸法偏差によって相殺されるように、後加工工程において加工されるハウジング（60）の寸法偏差の目標値を設定する目標設定工程とを更に備え、後加工工程では、ハウジング（60）の寸法偏差が目標設定工程において設定された目標値となるように、ハウジング（60）の加工を行う。
【０２０１】
本実施形態の製造方法によれば、実施形態１の製造方法と同様に、旋回スクロール（50）とハウジング（60）と固定スクロール（40）の加工を従来と同程度の加工精度で行いながら、合計偏差ＤＡＳの分散を引き下げることができる。従って、本実施形態によれば、実施形態１と同様に、スクロール圧縮機（10）の製造コストの増加を抑えながら、スクロール圧縮機（10）の効率を向上させることができる。
【０２０２】
また、本実施形態の製造方法によって製造されたスクロール圧縮機（10）では、ハウジング（60）の寸法偏差ＤＨの分散が、旋回スクロール（50）の寸法偏差ＤＯの分散を包括し、且つ合計偏差ＤＡＳの分散がハウジング（60）の寸法偏差ＤＨの分散よりも小さい。
【０２０３】
従来は、合計偏差の分散をハウジング（60）の寸法偏差の分散よりも小さくすることができなかった。しかし、本実施形態によれば、旋回スクロール（50）の寸法偏差ＤＯをハウジング（60）の寸法偏差ＤＨで相殺することによって、合計偏差ＤＡＳの分散をハウジング（60）の寸法偏差ＤＨの分散よりも小さくすることが可能となる。従って、本実施形態によれば、旋回スクロール（50）とハウジング（60）と固定スクロール（40）の加工精度を従来よりも高めること無く、合計偏差ＤＡＳの分散を引き下げることが可能となり、スクロール圧縮機（10）の効率を向上させることが可能となる。
【０２０４】
また、本実施形態の製造方法によって製造されたスクロール圧縮機（10）は、合計偏差ＤＡＳの分散がハウジング（60）の寸法偏差ＤＨの分散よりも小さくなるように、ハウジング（60）の寸法偏差ＤＨの分散が、ハウジング（60）に形成された複数の位置決め穴（67）同士の間隔ＬＨＰの分散よりも大きくなっている。
【０２０５】
このため、旋回スクロール（50）の寸法偏差ＤＯをハウジング（60）の寸法偏差ＤＨで相殺することによって、“合計偏差ＤＡＳの分散”を“ハウジング（60）の寸法偏差ＤＨの分散”よりも小さくすることが可能となる。従って、本実施形態によれば、旋回スクロール（50）とハウジング（60）と固定スクロール（40）の加工精度を従来よりも高めること無く、合計偏差ＤＡＳの分散を引き下げることが可能となり、スクロール圧縮機（10）の効率を向上させることが可能となる。
【０２０６】
《その他の実施形態》
上記の各実施形態のスクロール圧縮機（10）では、固定スクロール（40）とハウジング（60）のそれぞれに、位置決め穴（44,67）が三つ以上形成されていてもよい。この場合も、上記の各実施形態のスクロール圧縮機（10）と同様には、固定スクロール（40）の位置決め穴（44）（あるいは、ハウジング（60）の位置決め穴（67））と同数の位置決めピン（35）が設けられる。
【０２０７】
また、上記の各実施形態のスクロール圧縮機（10）では、固定スクロール（40）とハウジング（60）のそれぞれに位置決め穴（44,67）が位置決め構造として形成されているが、位置決め構造は、位置決め穴（44,67）には限定されない。例えば、固定スクロール（40）とハウジング（60）の一方には位置決め突起が、他方には位置決め突起が嵌まり込む位置決め穴が、それぞれ位置決め機構として形成されていてもよい。
【０２０８】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【０２０９】
以上説明したように、本開示は、スクロール流体機械と、その製造方法について有用である。
【符号の説明】
【０２１０】
10    スクロール圧縮機（スクロール流体機械）
25    駆動軸（回転軸）
35    位置決めピン
40    固定スクロール
42    固定側ラップ
44    位置決め穴（位置決め構造）
50    旋回スクロール
52    旋回側ラップ
53    ボス部
60    ハウジング
64    軸受部
67    位置決め穴（位置決め構造）
【図１】
2019178661.tif 000003
【図２】
2019178661.tif 000004
【図３】
2019178661.tif 000005
【図４】
2019178661.tif 000006
【図５】
2019178661.tif 000007
【図６】
2019178661.tif 000008
【図７】
2019178661.tif 000009
【図８】
2019178661.tif 000010
【図９】
2019178661.tif 000011
【図１０】
2019178661.tif 000012
【図１１】
2019178661.tif 000013
【図１２】
2019178661.tif 000014
【図１３】
2019178661.tif 000015
【図１４】
2019178661.tif 000016
【図１５】
2019178661.tif 000017
【図１６】
2019178661.tif 000018
【図１７】
2019178661.tif 000019
【図１８】
2019178661.tif 000020
【図１９】
2019178661.tif 000021
【図２０】
2019178661.tif 000022